(57)【要約】【課題】遊技者が可変表示部の表示と画像表示部による表示とを同時に確認できるとともに、遊技者の遊技意欲を高める。【解決手段】遊技機は、演出画像を表示する液晶表示部２ｂと、複数の図柄を可変表示する各リールと画像制御ＩＣ９８とを有する。液晶表示部２ｂの所定の領域には、各リールに表示された図柄が、透過された状態で表示されている。画像制御ＩＣ９８は、可変表示動作が開始された場合、停止可能状態になる前は、演出画像の動きを表示するように、液晶表示部２ｂを制御するとともに、停止可能状態になってから、可変表示動作が停止するまでの間、液晶表示部２ｂに表示される演出画像の動きを一時的に停止するように、液晶表示部２ｂを制御する。【選択図】      図９
2004321616.tif 000002
【特許請求の範囲】
【請求項１】
複数の図柄を可変表示する可変表示手段と、当該可変表示手段の可変表示動作の停止制御を行う停止制御手段とを有する遊技機であって、
正面側からみて可変表示手段の手前側に配設され、演出画像を表示するとともに、所定の領域上に、前記可変表示手段に表示された図柄を透過表示する画像表示手段と、
前記停止制御が可能な状態である停止可能状態になる前には、前記画像表示手段の前記所定の領域を含む領域上に、演出画像を表示するように、前記画像表示手段を制御し、前記停止可能状態から、前記可変表示動作が停止するまでの間、前記画像表示手段に表示される演出画像の動きを一時的に停止するように、前記画像表示手段を制御する制御手段を有することを特徴とする遊技機。
【請求項２】
前記制御手段は、前記演出画像の動きを一時的に停止するように画像表示手段を制御する場合、前記所定の領域上の演出画像を、消去するように前記画像表示手段を制御することを特徴とする請求項１に記載の遊技機。
【請求項３】
内部当選役を決定する内部当選決定手段を有し、
前記制御手段は、前記可変表示動作が停止した後に前記画像表示手段を制御する場合、前記内部当選決定手段による決定結果に基づいて、可変表示動作が停止してからの演出画像の表示態様を異ならせるように、前記画像表示手段を制御することを特徴とする請求項１又は２に記載の遊技機。
【請求項４】
前記制御手段は、前記停止可能状態になるまでの間に前記画像表示手段を制御する場合、前記内部当選決定手段による決定結果に基づいて、前記停止可能状態になるまでにおける演出画像の表示態様を異ならせるように、前記画像表示手段を制御することを特徴とする請求項３に記載の遊技機。
【発明の詳細な説明】
【０００１】
【発明の属する技術分野】
本発明は、演出画像の表示を制御する遊技機に関する。
【０００２】
【従来の技術】
従来より、停止ボタンを備えたスロットマシン、いわゆるパチスロ遊技機は、正面の表示窓内に複数の図柄を変動表示する回転リールを複数配列して構成した機械的変動表示装置や、リール上の図柄を画面に表示する電気的変動表示装置を有する。
【０００３】
このパチスロ遊技機の遊技は、まず、遊技者の遊技媒体（例えば、メダル、コイン）の投入によって開始される。そして、遊技者のスタート操作に応じて、制御手段が変動表示装置を駆動制御して各リールを回転させることにより、図柄を変動表示させる。図柄は、一定時間後自動的に、又は、遊技者の停止操作により、各リールの回転が順次停止する。このとき、表示窓内に現れた各リールの図柄が特定の組合せ（入賞図柄）になった場合には、遊技媒体を払い出すことによって、遊技者に対して利益が付与される。
【０００４】
このようなパチスロ遊技機は、複数種類の入場態様を有している。特に、所定の入賞役の入賞が成立したときは、１回のメダルの払い出しに終わらず、所定期間、通常の状態よりも条件の良い遊技状態となる。このような入賞役として、遊技者に相対的に大きな利益を与える遊技を所定回数行える入賞役（「ビッグボーナス」と称し、以下「ＢＢ」と表す）と、遊技者に相対的に小さな利益を与える遊技を所定回数行える入賞役（「レギュラーボーナス」と称し、以下「ＲＢ」と表す）がある。
【０００５】
また、パチスロ遊技機においては、有効化された入賞ライン（以下「有効ライン」という）に沿って所定の図柄が並び、遊技媒体が払い出される入賞が成立するためには、内部的な抽選処理（以下「内部抽選」という）により入賞役に当選（以下「内部当選」という）し、かつ、その内部当選した入賞役（以下「内部当選役」という）の入賞成立を示す図柄組合せを有効ラインに停止できるタイミングで遊技者が停止操作を行うことが要求される。つまり、いくら内部当選したとしても、遊技者の停止操作のタイミングが悪いと入賞が成立しない。即ち、停止操作をタイミングよく行う技術が要求される（「目押し」という技術の比重が高い）遊技機が現在の主流である。
【０００６】
このような遊技機において、入賞の判定のために必要な複数の図柄を可変表示する可変表示部（リール）と、上記図柄とは別の画像（以下、演出画像という）の表示を行う画像表示部（液晶表示部）とは、別の場所に設けられていた（特許文献１参照）。
【０００７】
【特許文献１】
特開２００２−２９１９７３号公報
【０００８】
【発明が解決しようとする課題】
しかしながら、上述した従来技術では、以下のような問題があった。即ち、上記可変表示部と、上記画像表示部とは別の場所に設けられていたので、遊技者は、可変表示部に表示された図柄と、画像表示部に表示された演出画像とを同時に確認することができなかった。このため、作業者は、例えば、画像表示部により表示される演出画像を楽しみながら、遊技に集中するということが十分に行えなかった。
【０００９】
従って、遊技者が、可変表示部に表示された図柄と、画像表示部に表示された演出画像とを同時に確認できるためには、遊技機において、正面側から見て可変表示部の手前側に、所定の領域上に、可変表示部に表示された図柄を透過表示できる画像表示部が設けられる必要がある。ここで、上記遊技機において、遊技者による所定の操作（停止ボタンの押圧操作）に基づく、可変表示動作の停止制御動作が可能な状態である停止可能状態になってから、可変表示動作が停止するまでの間に、画像表示部の全体にわたって、演出画像の動きが表示されていると、以下のような不都合がある。即ち、作業者は、入賞をねらおうと思っても、上記演出画像の動きにより、可変表示部に表示された図柄に集中することができなくなり、遊技者の遊技意欲を損なってしまう。
【００１０】
このため、遊技者が、可変表示部に表示された図柄と、画像表示部に表示された演出画像とを同時に確認できるとともに、遊技者の遊技意欲を高めることができる遊技機の開発が望まれていた。
【００１１】
本発明は、以上のような問題点に鑑みてなされたものであり、遊技者が可変表示部に表示された図柄と、画像表示部に表示された演出画像とを同時に確認できるとともに、遊技者の遊技意欲を高めることができる遊技機を提供することを目的とする。
【００１２】
【課題を解決するための手段】
以上の問題点を解決するために、本発明の遊技機は、複数の図柄を可変表示する可変表示手段（各リール３Ｌ、３Ｃ、３Ｒ）と、当該可変表示手段の可変表示動作の停止制御を行う停止制御手段（モータ駆動回路４９）とを有する。また、上記遊技機は、正面側からみて可変表示手段の手前側に配設され、演出画像を表示するとともに、所定の領域（図柄表示領域２１Ｌ、２１Ｃ、２１Ｒ）上に、前記可変表示手段に表示された図柄を透過表示する画像表示手段（液晶表示部２ｂ）と、前記停止制御が可能な状態である停止可能状態になる前には、前記画像表示手段の前記所定の領域を含む領域上に、演出画像を表示するように、前記画像表示手段を制御し、前記停止可能状態から、前記可変表示動作が停止するまでの間、前記画像表示手段に表示される演出画像の動きを一時的に停止するように、前記画像表示手段を制御する制御手段（サブＣＰＵ８４、画像制御ＣＰＵ９２、画像制御ＩＣ９８）を有する。
【００１３】
このため、遊技者は、可変表示手段に表示された図柄と、画像表示手段に表示された演出画像とを同時に確認できる。また、停止可能状態になってから、可変表示動作が停止するまで、演出画像の動きを一時的に停止するように、画像表示手段が制御される。このため、上記所定の領域に透過表示された図柄のみを、各リールの動きを見て入賞をねらおうとする遊技者に注視させる効果がある。この結果、遊技者は、演出画像を楽しみながら、遊技にも集中することができ、遊技者の遊技意欲が高まる。
【００１４】
また、上記発明において、前記制御手段は、前記演出画像の動きを一時的に停止するように画像表示手段を制御する場合、前記所定の領域上の演出画像を、消去するように前記画像表示手段を制御することもできる。
【００１５】
このため、各リール（可変表示手段）の動きを見て入賞をねらおうとする遊技者の視点が、上記所定の領域に透過表示された図柄に一層定まるようにされるので、遊技に一層集中することができ、遊技者の遊技意欲が一層高まる。
【００１６】
また、上記発明において、本発明の遊技機は、内部当選役を決定する内部当選決定手段（メインＣＰＵ４１）を有し、前記制御手段は、前記可変表示動作が停止した後に前記画像表示手段を制御する場合、前記内部当選決定手段による決定結果に基づいて、可変表示動作が停止してからの演出画像の表示態様を異ならせるように、前記画像表示手段を制御することもできる。
【００１７】
このため、例えば、内部当選役がＢＢのとき、可変表示動作が停止した後に画像表示手段に表示される演出画像が第１の所定の表示態様であり、内部当選役がＲＢ、再遊技、小役のとき、可変表示動作が停止した後に画像表示手段に表示される演出画像が第２の所定の表示態様であり、内部当選役がはずれのとき、可変表示動作が停止した後に画像表示手段に表示される演出画像が第３の所定の表示態様である場合、以下の効果が得られる。
【００１８】
遊技者は、可変表示動作が停止した後における画像表示手段の表示を見て、例えば、画像表示手段に表示される演出画像が第１の所定の表示態様である場合、現在の遊技状態から特定遊技状態（例えば、ＢＢ中一般遊技状態）にかなり高い可能性で移行されるかもしれないという高い期待感をもつことができる。
【００１９】
また、上記発明において、上記制御手段は、前記停止可能状態になるまでの間に前記画像表示手段を制御する場合、前記内部当選決定手段による決定結果に基づいて、前記停止可能状態になるまでにおける演出画像の表示態様を異ならせるように、前記画像表示手段を制御することもできる。
【００２０】
このため、例えば、内部当選役がＢＢの場合、停止可能状態になるまでの間に、画像制御手段に表示される演出画像が第１の所定の表示態様であり、内部当選役がＲＢ、再遊技、小役のとき、停止可能状態になるまでの間に、画像制御手段に表示される演出画像が第２の所定の表示態様であり、内部当選役がはずれのとき、停止可能状態になるまでの間に、画像制御手段に表示される演出画像が第１の所定の表示態様である場合、以下の効果が得られる。
【００２１】
遊技者は、停止可能状態になるまでの間に、画像表示手段に表示される演出画像を見て、例えば、画像表示手段に表示される演出画像が第１の所定の表示態様である場合、特定のタイミングで各図柄を停止させれば、入賞となる可能性が高いだろうという期待感をもって遊技を行える。
【００２２】
【発明の実施の形態】
（構成）
図１は、本実施の形態の遊技機１の外観構成を示す図である。遊技機１においては、キャビネット２の正面には、略垂直面としてのパネル表示部２ａ、液晶表示部２ｂ、及び固定表示部２ｃが形成されている。キャビネット２の内部（液晶表示部２ｂの背面）には、各々の外周面に、図柄列（複数種類の図柄によって構成される図柄の列）が描かれた３個のリール３Ｌ，３Ｃ，３Ｒが回転自在に横一列に設けられている。これらのリールは、複数の図柄を可変表示する可変表示手段を構成している。遊技者は、図柄表示領域２１Ｌ，２１Ｃ，２１Ｒを介して、各リールの図柄を視認することができる。各リールは、定速回転（例えば８０回転／分）で回転する。
【００２３】
パネル表示部２ａ、液晶表示部２ｂ、及び固定表示部２ｃの下方には、略水平面の台座部４が形成されている。台座部４の左側（遊技機１正面から見て）には、押しボタン操作によりクレジットされているメダルを賭けるためのＢＥＴスイッチ５が設けられている。台座部４の右側には、メダル投入口６が設けられている。台座部４の前面部の左寄りには、遊技者が遊技で獲得したメダルのクレジット／払出しを押しボタン操作で切り換えるＣ／Ｐスイッチ７が設けられている。このＣ／Ｐスイッチ７の切り換えにより、正面下部のメダル払出口８からメダルが払出され、払出されたメダルはメダル受け部９に溜められる。
【００２４】
Ｃ／Ｐスイッチ７の右側には、遊技者の操作により上記リールを回転させ、図柄表示領域２１Ｌ，２１Ｃ，２１Ｒ内での図柄の変動表示を開始するためのスタートレバー１０が所定の角度範囲で回動自在に取り付けられている。後述するように、遊技者によるスタートレバー１０の操作により、３個のリールの可変表示動作が開始される。
【００２５】
台座部４の前面部中央で、スタートレバー１０の右側には、３個のリール３Ｌ，３Ｃ，３Ｒの回転をそれぞれ停止させるための３個の停止ボタン１１Ｌ，１１Ｃ，１１Ｒが設けられている。後述するように、これらの停止ボタンの押圧操作により、３個のリールの可変表示動作が停止される。キャビネット２の上方の左右には、スピーカ１２Ｌ，１２Ｒが設けられ、その２台のスピーカ１２Ｌ，１２Ｒの間には、入賞図柄の組合せ及びメダルの配当枚数等を表示する配当表パネル１３が設けられている。
【００２６】
図２は、パネル表示部２ａ、液晶表示部２ｂを説明するための構成図である。パネル表示部２ａの上部には、ＷＩＮランプ１６が設けられている。ＷＩＮランプ１６は、７セグメントＬＥＤから成り、ボーナス遊技中の遊技に関する情報（例えば、ＲＢ遊技可能回数、ＲＢ遊技入賞可能回数、ＢＢ中一般遊技可能回数）を表示する。
【００２７】
パネル表示部２ａにおいて、ＷＩＮランプ１６の下には、１−ＢＥＴランプ１７ａ、２−ＢＥＴランプ１７ｂ、最大ＢＥＴランプ１７ｃが設けられている。１−ＢＥＴランプ１７ａ、２−ＢＥＴランプ１７ｂ及び最大ＢＥＴランプ１７ｃは、遊技を行うために賭けられたメダルの数（以下、ＢＥＴ数という）に応じて点灯する。１−ＢＥＴランプ１７ａは、ＢＥＴ数が“１”で１本の入賞ラインが有効化されたときに点灯する。２−ＢＥＴランプ１７ｂは、ＢＥＴ数が“２”で３本の入賞ラインが有効化されたときに点灯する。最大ＢＥＴランプ１７ｃは、ＢＥＴ数が“３”で全て（５本）の入賞ラインが有効化されたときに点灯する。
【００２８】
パネル表示部２ａにおいて、最大ＢＥＴランプ１７ｃの下には、払出表示部１８、及びクレジット表示部１９が設けられている。払出表示部１８は、７セグメントＬＥＤから成り、入賞成立時のメダルの払出枚数を表示する。クレジット表示部１９は、７セグメントＬＥＤから成り、貯留（クレジット）されているメダルの枚数を表示する。
【００２９】
液晶表示部２ｂは、正面側からみて可変表示手段（リール）の手前側に配設され、所定の領域上に、上記可変表示手段に表示された図柄を透過表示するとともに、上記所定の領域（図柄表示領域２１Ｌ，２１Ｃ，２１Ｒ）を含む領域上に、演出画像を表示する画像表示手段である。
【００３０】
図３は、液晶表示部２ｂの構成を詳細に説明するための図である。液晶表示部２ｂは、リール３Ｌ、３Ｃ、３Ｒの表示領域より、正面側から見て手前側に、リール３Ｌ、３Ｃ、３Ｒを跨いで設けられている。また、このリール３Ｌ，３Ｃ，３Ｒと液晶表示部２ｂとは、別体で（所定の間隔をあけて）設けられている。
【００３１】
液晶表示部２ｂにおいては、反射領域３６Ａ及び非反射領域（透過領域）３６ＢＬ，３６ＢＣ，３６ＢＲが設けられている。非反射領域３６ＢＬ，３６ＢＣ，３６ＢＲは、透明な材料で形成され入射した光を反射することなく透過させる光透過部として形成される。非反射領域３６ＢＬ，３６ＢＣ，３６ＢＲは、リール３Ｌ，３Ｃ，３Ｒの回転が停止した場合に表示される図柄（合計３個の図柄）の各々の前方の位置に設けられている。具体的には、非反射領域３６ＢＬ，３６ＢＣ，３６ＢＲの大きさ及び位置は、後述する図柄表示領域２１Ｌ，２１Ｃ，２１Ｒのものと一致するようになっている。このため、図柄表示領域は、後述する非反射領域と同様の概念である。この液晶表示部２ｂの図柄表示領域２１Ｌ，２１Ｃ，２１Ｒ（所定の領域）には、各リール（可変表示手段）に表示された図柄が透過された状態で表示される。
【００３２】
反射領域３６Ａは、入射した光を反射し、液晶表示部の領域のうち、上記非反射領域３６ＢＬ，３６ＢＣ，３６ＢＲ以外の領域である。
【００３３】
また、液晶表示部２ｂは、第１物画像と第２物画像とともに、演出画像における背景を構成する背景画像を表示する。
【００３４】
本実施の形態では、液晶表示部２ｂには、図柄表示領域２１Ｌ，２１Ｃ，２１Ｒが設けられている。図柄表示領域２１Ｌ，２１Ｃ，２１Ｒは、各リール３Ｌ，３Ｃ，３Ｒに対応して設けられる。図柄表示領域２１Ｌ，２１Ｃ，２１Ｒには、リール３Ｌ，３Ｃ，３Ｒ上に配置された図柄が透過表示される。具体的には、各図柄表示領域２１Ｌ，２１Ｃ，２１Ｒには、対応するリール３Ｌ，３Ｃ，３Ｒが回転状態の場合、又は、対応する停止ボタン１１Ｌ，１１Ｃ，１１Ｒが停止操作可能な状態の場合、リール３Ｌ，３Ｃ，３Ｒ上に配置された図柄が、遊技者が視認し易いように透過表示される。
【００３５】
窓枠表示領域２２Ｌ，２２Ｃ，２２Ｒは、所定の形状からなる枠を示す枠画像である。具体的に、窓枠表示領域２２Ｌ、２２Ｃ、２２Ｒは、各図柄表示領域２１Ｌ，２１Ｃ，２１Ｒを囲むように設けられ、リール３Ｌ，３Ｃ，３Ｒ上に配置された図柄の表示窓の枠の画像を構成する。
【００３６】
演出表示領域２３は、液晶表示部２ｂの領域のうち、図柄表示領域２１Ｌ、２１Ｃ、２１Ｒ及び窓枠表示領域２２Ｌ、２２Ｃ、２２Ｒ以外の領域である。この演出表示領域２３には、第１の物体を示す第１物画像と、第２の物体を示す第２物画像と、演出画像における背景を構成する背景画像とが表示される。
【００３７】
また、演出表示領域２３には、ボーナスの入賞成立を実現可能であることを確定的に報知する画像（いわゆるＷＩＮランプ１６を表したもの）の表示が行われる。さらに、演出表示領域２３には、遊技の興趣を増大するための演出、遊技者が遊技を有利に進めるために必要な情報などの表示が行われる。
【００３８】
図４は、各リール３Ｌ、３Ｃ、３Ｒに表された複数種類の図柄が２１個配列された図柄列を示している。各図柄には“００”〜“２０”のコードナンバーが付され、データテーブルとして、後述するＲＯＭ４２に格納されている。各リール３Ｌ，３Ｃ，３Ｒ上には、「青７」、「赤７」、「ＢＡＲ」、「ベル」、「プラム」、「リプレイ（Ｒｅｐｌａｙ）」及び「チェリー」の図柄で構成される図柄列が表されている。各リール３Ｌ，３Ｃ，３Ｒは、図柄列が矢印方向に移動するように回転駆動される。
【００３９】
本実施の形態の遊技機１において、遊技者は、通常の遊技状態である一般遊技状態、多数のコインを獲得可能なＢＢ遊技中一般遊技状態、ＲＢ遊技状態において、遊技を行うことができる。図５は、各遊技状態における入賞図柄組合せに対応する入賞役及び払い出し枚数を示したものである。
【００４０】
遊技状態としては、一般遊技状態（この状態にあることを「一般遊技中」という）、ＢＢ中一般遊技状態（この状態にあることを「ＢＢ作動中」という）、ＲＢ遊技状態（この状態にあることを「ＲＢ作動中」という）の３つがある。
【００４１】
また、一般遊技状態をＢＢ又はＲＢに内部当選しているか否かによって更に区分することもあるが、内部当選する可能性のある入賞役については同様であることから、図５における区分は上述した３状態で区分している。なお、内部当選する可能性のある入賞役の種類は、いわゆる確率抽選テーブル（後述する）によって定まるものであり、この確率抽選テーブルは、各遊技状態毎に設けられている。従って、同一の遊技状態の遊技では、内部当選する可能性のある入賞役の種類が同一となる。
【００４２】
ＢＢ遊技状態は、遊技者にとって最も有利な遊技状態である。一般遊技状態において、有効ラインに沿って「青７−青７−青７」、又は「赤７−赤７−赤７」が並んだときは、ＢＢの入賞が成立し、１５枚のメダルが払い出されると共に、次の遊技の遊技状態が「ＢＢ遊技状態」となる。一回のＢＢは、ＢＢ中一般遊技状態を３０遊技遊技した場合、もしくはＲＢ遊技状態に３回移行し、３回目のＲＢが終了したところで終了する。そして、ＢＢ遊技状態が終了すると、一般遊技状態に移行する。なお、ＢＢ遊技状態は、ＢＢ中一般遊技状態及びＲＢ遊技状態を含むものである。
【００４３】
「ＲＢ遊技状態」は、一般遊技状態及びＢＢ中一般遊技状態においてＲＢの入賞が成立することにより発生する。「一般遊技状態」では、有効ラインに沿って並んだ図柄の組合せが「ＢＡＲ−ＢＡＲ−ＢＡＲ」であるとき、又は「ＢＢ中一般遊技状態」において、有効ラインに沿って並んだ図柄の組合せが「Ｒｅｐｌａｙ−Ｒｅｐｌａｙ−Ｒｅｐｌａｙ」であるとき（いわゆる「ＪＡＣ  ＩＮ」）に発生し、１５枚のメダルが払い出される。「一般遊技状態」から始まるＲＢを通常ＲＢ、「ＢＢ中一般遊技状態」から始まるＲＢをＢＢ中のＲＢと区別する場合もあるが、本実施の形態では、特に区別しない。
【００４４】
「ＲＢ遊技状態」は、１枚のメダルを投入することにより、所定の図柄組合せ「Ｒｅｐｌａｙ−Ｒｅｐｌａｙ−Ｒｅｐｌａｙ」が揃い、１５枚のメダルを獲得できる入賞役に当たりやすい遊技状態である。１回の「ＲＢ遊技状態」において遊技可能な最大の遊技回数（これを「ＲＢ遊技可能回数」という）は、１２回である。また、このＲＢ遊技状態において、入賞できる回数（これを「ＲＢ遊技入賞可能回数」という）は、８回までである。即ち、この「ＲＢ遊技状態」は、遊技回数が１２回に達するか、又は入賞回数が８回に達した場合に終了する。そして、ＲＢ遊技状態が終了すると、一般遊技状態に移行する。
一般遊技状態において、有効ラインに沿って並んだ図柄の組合せが「Ｒｅｐｌａｙ−Ｒｅｐｌａｙ−Ｒｅｐｌａｙ」であるときは、再遊技の入賞が成立する。再遊技の入賞が成立すると、投入したメダルの枚数と同数のメダルが自動投入されるので、遊技者は、メダルを消費することなく遊技を行うことができる。
【００４５】
なお、一般遊技状態及びＢＢ中一般遊技状態では、「プラムの小役」や「チェリーの小役」などの入賞成立が可能であるが、その払い出し枚数は図５のとおりである。
【００４６】
図６は、遊技機１の内部構成を示すブロック図である。遊技機１は、遊技機１における遊技処理動作を制御する主制御回路８１と、主制御回路８１と電気的に接続されている各種のアクチュエータと、主制御回路８１から送信される制御指令（コマンド）に基づいて液晶表示部２ｂ及びスピーカ１２Ｌ，１２Ｒを制御する副制御回路８２とを有する。
【００４７】
主制御回路８１は、１つの回路基板上に配置されたマイクロコンピュータ４０を有する。マイクロコンピュータ４０は、予め設定されたプログラムに従って制御動作を行うメインＣＰＵ４１と、記憶手段としてのＲＯＭ４２及びＲＡＭ４３とを有する。
【００４８】
メインＣＰＵ４１には、基準クロックパルスを発生するクロックパルス発生回路４４と、分周器４５と、サンプリングされる乱数を発生する乱数発生器４６と、サンプリング回路４７とが接続されている。なお、乱数サンプリングのための手段は、マイクロコンピュータ４０内に設けられても良い。即ち、ＣＰＵ４１が、予め設定されたプログラムに従って、乱数サンプリングを実行するようにしてもよい。この場合、乱数発生器４６及びサンプリング回路４７は省略可能である。また、乱数発生器４６及びサンプリング回路４７は、乱数サンプリング動作のバックアップ用として残しておいてもよい。
【００４９】
マイクロコンピュータ４０のＲＯＭ４２には、例えば、スタートレバー６を操作する毎に行われる乱数サンプリングの判定に用いられる確率抽選テーブル（詳細な説明は後述する）と、停止ボタンの操作に応じてリールの停止態様を決定するための停止制御テーブルと、ロック時間選択用テーブルと、副制御回路８２へ送信するための各種の制御指令（コマンド）が格納されている。これらのコマンドには、例えば、「デモ表示コマンド」、「スタートコマンド」、「ボーナス遊技状態変更指示コマンド」、「遊技メダル投入コマンド」、「リール回転コマンド」、「ウェイトコマンド」、「リール停止コマンド」がある。これらのコマンドの詳細な説明は後述する。
【００５０】
なお、副制御回路８２から、主制御回路８１へデータ（コマンド、情報など）が送られることはなく、主制御回路８１から副制御回路８２への一方向でデータが送られる。
【００５１】
マイクロコンピュータ４０からの制御信号により動作が制御される主要なアクチュエータとしては、各種ランプ（１−ＢＥＴランプ１７ａ、２−ＢＥＴランプ１７ｂ、最大ＢＥＴランプ１７ｃ、ＷＩＮランプ１６、メダル投入ランプ２４，遊技開始表示ランプ２５）と、各種表示部（払出表示部１８、クレジット表示部１９、役物作動回数表示部２０）と、メダルを収納し、ホッパー駆動回路５１の命令により所定枚数のメダルを払い出す遊技価値付与手段としてのホッパー（払い出しのための駆動部を含む）５０と、リール３Ｌ，３Ｃ，３Ｒを回転駆動するステッピングモータ５９Ｌ，５９Ｃ，５９Ｒとがある。
【００５２】
また、メインＣＰＵ４１には、ステッピングモータ５９Ｌ，５９Ｃ，５９Ｒを駆動制御するモータ駆動回路４９と、ホッパー５０を駆動制御するホッパー駆動回路５１と、各種のランプを駆動制御するランプ駆動回路５５と、各種表示部を駆動制御する表示部駆動回路５８とが、Ｉ／Ｏポート４８を介して、接続されている。ここで、モータ駆動回路４９は、各リール（可変表示手段）の可変表示動作の停止制御を行う停止制御手段である。これらの駆動回路４９、５１、５５、５８は、それぞれ、メインＣＰＵ４１から出力される駆動指令などの制御信号を取得し、取得した制御信号に基づいて、各アクチュエータ（各種ランプなど）の動作を制御する。
【００５３】
また、マイクロコンピュータ４０は、以下のような入力発生手段から出力された信号を取得することにより、上述した制御信号を出力する。このような入力信号発生手段としては、スタートスイッチ６Ｓ、１−ＢＥＴスイッチ１１１、２−ＢＥＴスイッチ１１２、最大ＢＥＴスイッチ１１３、Ｃ／Ｐスイッチ７、投入メダルセンサ２２Ｓ、リール停止信号回路５６、リール位置検出回路６０、払出完了信号回路６１、設定用鍵型スイッチ６３がある。これらも、Ｉ／Ｏポート４８を介して、メインＣＰＵ４１に接続されている。
【００５４】
スタートスイッチ６Ｓは、スタートレバー１０の操作を検出する。投入メダルセンサ２２Ｓは、メダル投入口６に投入されたメダルを検出する。リール停止信号回路５６は、各停止ボタン１１Ｌ，１１Ｃ，１１Ｒの押圧操作に応じて、停止を示す信号であるリール停止信号を発生し、メインＣＰＵ４１に出力する。但し、メインＣＰＵ４１が取得したリール停止信号を有効なものとして扱うのは、後述するように、一定の場合（例えば、各リールの回転が開始した場合又は各リールの回転速度が一定速度になった場合）である。
【００５５】
また、リール停止信号には、停止ボタンを特定する情報が含まれている。そして、メインＣＰＵ４１は、上記停止ボタンを特定する情報に基づいて、上記停止ボタンに対応するリールを停止させるように、モータ駆動回路４９に指示する。
【００５６】
リール位置検出回路６０は、リール回転センサからのパルス信号を受けて各リール３Ｌ，３Ｃ，３Ｒの位置を検出するための信号をメインＣＰＵ４１へ送る。払出完了信号回路６１は、メダル検出部５０Ｓの計数値（ホッパー５０から払出されたメダルの枚数）が所定の枚数データに達したとき、メダル払出完了を検知するための信号を発生し、メインＣＰＵ４１へ送る。
【００５７】
乱数発生器４６は、一定の数値範囲に属する乱数を発生する。サンプリング回路４７は、スタートレバー６が操作された後の適宜のタイミングで、発生した乱数のなかから、１個の乱数をサンプリングする。
【００５８】
メインＣＰＵ４１は、遊技の進行を制御し、遊技の進行の制御に関する遊技制御命令（制御コマンド）を送信する遊技制御手段でもある。
【００５９】
例えば、メインＣＰＵ４１は、遊技者によるスタートレバーの操作が行われた場合、内部当選決定処理、ロック時間選択処理（遊技の進行に関する処理）を行うように、制御する。そして、メインＣＰＵ４１は、内部当選決定処理、ロック時間選択処理を行った後、制御コマンドとして、ＲＯＭ４２から、スタートコマンドを取得し、副制御回路８２に送信する。
【００６０】
また、メインＣＰＵ４１は、各リールの回転が開始（遊技の進行に関する処理）するように制御した場合、制御コマンドとして、ＲＯＭ４２から、リール回転コマンドを取得し、副制御回路８２に送信する。また、メインＣＰＵ４１は、遊技者による停止ボタンの操作が行われた場合、各リールが停止するように制御する。そして、メインＣＰＵ４１は、全リールが停止した場合、入賞検索処理を行った後、制御コマンドとして、ＲＯＭ４２から、入賞コマンドを取得し、副制御回路８２に送信する。
【００６１】
なお、上記制御コマンドとしては、例えば、メダル投入コマンドや、リール停止コマンドなどのコマンドであってもよい。また、上述の説明では、ＲＯＭ４２に、各種の制御コマンドが格納されている場合の説明が行われたが、これに限定されず、例えば、メインＣＰＵ４１は、各種の制御コマンドを生成し、副制御回路８２に送信するようにしてもよい。
【００６２】
メインＣＰＵ４１は、内部当選役を決定する内部当選決定手段でもある。メインＣＰＵ４１は、サンプリングされた乱数と、ＲＯＭ４２内に格納されている確率抽選テーブルとに基づいて、内部当選役を決定する。内部当選役が決定された後、メインＣＰＵ４１が使用する「停止制御テーブル」を選択するために、再度、乱数のサンプリング処理が行われる。
【００６３】
停止制御テーブルは、一般に遊技状態、内部当選役、停止順序毎に１又は複数設けられている。このテーブルには、各リール３Ｌ、３Ｃ、３Ｒの停止操作位置と、停止制御位置とが示されている。停止操作位置は、各リール３Ｌ、３Ｃ、３Ｒに対応して設けられた停止ボタン７Ｌ、７Ｃ、７Ｒが操作されたとき、センターラインに位置していた図柄のコードナンバーを示す。停止制御位置とは停止操作が行われたリールが停止したとき、センターラインの位置に停止表示される図柄のコードナンバーを示す。この停止制御テーブルの構成により、各リールの停止制御が可能となる。
【００６４】
以下、図７を参照して、確率抽選テーブルについて説明する。これらの確率抽選テーブルは、確率抽選処理において参照されるものである。図７では、一般遊技中において使用される確率抽選テーブルと、ＢＢ中一般遊技中において使用される確率抽選テーブルとが示されている。いずれの確率抽選テーブルも、各遊技の内部当選役を決定するために用いられる。
【００６５】
いずれのテーブルにおいても、乱数範囲は０〜１６３８３であり、この範囲にある数値から抽出される一の数値を用いて、内部当選役が決定される。例えば、一般遊技中において、抽出された乱数値が２８５１の場合、この遊技の内部当選役は「ベル」となる。また、一般遊技中において、抽出された乱数値が１１０３６〜１６３８３の場合には、その遊技の内部当選役はハズレとなる。
【００６６】
メインＣＰＵ４１は、ロック時間選択用テーブルを参照して、ロック時間を決定する。このロック時間とは、例えば、スタートコマンドが副制御回路８２に送信されてから、停止ボタンの受付が可能になる状態（モータ駆動回路４９による停止制御動作が可能になる状態）までの時間である。そして、メインＣＰＵ４１は、ＲＯＭ４２内に格納されているロック時間選択用テーブルを読み出す。このロック時間選択用テーブルにおいては、各内部当選役と、各乱数値と、ロック時間とが対応づけられている。ロック時間選択用テーブルの一例を図８に示す。このロック時間選択処理においては、例えば、０から２５５の範囲の乱数が発生する。
【００６７】
そして、図８において、横軸の項目は、内部当選役に対応し、縦軸の項目は、ロック時間に対応する。そして、内部当選役及びロック時間に対応する数値は、乱数値の範囲を示す。例えば、内部当選役（ハズレ）及びロック時間（０秒）に対応する乱数値の範囲２５０は、乱数０から２４９を示しており、例えば、内部当選役（ハズレ）及びロック時間（３秒）に対応する乱数値の範囲４は、乱数２５０から２５３を示している。そして、メインＣＰＵ４１は、決定した内部当選役及びサンプリングされた乱数と、ロック時間選択用テーブルとに基づいて、ロック時間を決定する。なお、ロック時間選択テーブルは、各遊技状態ごとに設けられても良い。
【００６８】
リール３Ｌ，３Ｃ，３Ｒの回転が開始された後、ステッピングモータ５９Ｌ，５９Ｃ，５９Ｒの各々に供給される駆動パルスの数が計数され、その計数値はＲＡＭ４３の所定エリアに書き込まれる。リール３Ｌ，３Ｃ，３Ｒからは一回転毎にリセットパルスを生成する。これらのリセットパルスは、リール位置検出回路６０を介して、メインＣＰＵ４１に入力される。
【００６９】
メインＣＰＵ４１は、得られたリセットパルスに基づいて、ＲＡＭ４３に書き込まれている駆動パルスの計数値を“０”にクリアする。これにより、ＲＡＭ４３内には、各リール３Ｌ，３Ｃ，３Ｒについて一回転の範囲内における回転位置に対応した計数値が格納される。
【００７０】
上記のようなリール３Ｌ，３Ｃ，３Ｒの回転位置と、リール外周面上に描かれた図柄とが対応づけられた図柄テーブルが、ＲＯＭ４２内に格納されている。具体的には、この図柄テーブルでは、上述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードと、が対応づけられている。
【００７１】
更に、ＲＯＭ４２内には、入賞図柄組合せテーブルが格納されている。この入賞図柄組合せテーブルでは、入賞となる図柄の組合せと、入賞のメダル配当枚数と、その入賞を表す入賞判定コードとが対応づけられている。左のリール３Ｌ、中央のリール３Ｃ、右のリール３Ｒの停止制御が行われるときと、全リール停止後の入賞の判定（確認）が行われるときに、上記の入賞図柄組合せテーブルの参照処理が行われる。
【００７２】
上記乱数サンプリングに基づく抽選処理（確率抽選処理）により内部当選した場合には、メインＣＰＵ４１は、遊技者が停止ボタン１１Ｌ，１１Ｃ，１１Ｒを操作したタイミングでリール停止信号回路５６から送られるリール停止信号と、選択された「停止制御テーブル」とに基づいて、リール３Ｌ，３Ｃ，３Ｒを停止制御する信号をモータ駆動回路４９に送る。
【００７３】
内部当選した入賞役の入賞成立を示す停止態様である場合、メインＣＰＵ４１は、払出指令信号をホッパー駆動回路５１に送る。ホッパー駆動回路５１は、ホッパー５０に対して、所定数のメダルの払出しを行わせる。この際、メダル検出部５０Ｓは、ホッパー５０から払い出されるメダルの枚数を計測し、その計測値が指定された数に達したときに、メダル払出完了信号をメインＣＰＵ４１に送る。これにより、メインＣＰＵ４１は、ホッパー駆動回路５１に対して、ホッパー５０の駆動を停止させ、ホッパーによる「メダルの払い出し処理」を終了させる。
【００７４】
なお、本実施の形態では、全てのリールが回転しているときに行われる停止操作を「第１停止操作」、次に行われる停止操作を「第２停止操作」、「第２停止操作」の後に行われる停止操作を「第３停止操作」という。そして、後述するリール停止コマンドに、第１停止操作であるか、第２停止操作であるか、第３停止操作であるかを示す情報が含まれる。
【００７５】
また、メインＣＰＵ４１は、スタートスイッチ６Ｓから送られたスタートレバー１０の操作の検出を示す検出信号を取得すると、モータ駆動回路４９に各リール３Ｌ、３Ｃ、３Ｒの可変表示の開始に関する制御動作を行うように指示する。これにより、各リール３Ｌ、３Ｃ、３Ｒは、モータ駆動回路４９の制御に基づいて、可変表示動作を開始する。
【００７６】
また、メインＣＰＵ４１は、上述のようにして、ロック時間を決定した後、以下の処理を行ってもよい。メインＣＰＵ４１は、現時点が、スタートコマンドを副制御回路８２に送信してから、決定したロック時間が経過しているか否かを判断する。ロック時間が経過していると判断した場合、メインＣＰＵ４１は、遊技者による停止ボタンの操作を示す信号を受付可能な状態に設定する。
【００７７】
メインＣＰＵ４１は、上述のようにして、ロック時間を決定した後、以下の処理を行う。メインＣＰＵ４１は、スタートコマンドを副制御回路８２に送信する。スタートコマンドは、後述するように、画像制御ＣＰＵ９２に送信されると、画像制御ＣＰＵ９２は、第１演出画像パターンを取得する。そして、画像制御ＩＣ９８は、第１演出画像パターンに従った演出画像を生成するためのドットデータを画像ＲＯＭ９６から取得し、取得したドットデータに基づいて、第１演出画像パターンに従った演出画像を生成する。そして、画像制御ＩＣ９８は、生成した演出画像を液晶表示部２ｂに表示させる。
【００７８】
ここで、第１演出画像パターンに従って実行される一連の演出画像の終わりが液晶表示部２ｂに表示されるタイミングと、メインＣＰＵ４１がスタートコマンドを副制御回路８２に送信してから、ロック時間が経過するまでのタイミングは一致させるのが好ましい。そして、サブＣＰＵ８４は、液晶表示部２ｂに、第１演出画像パターンに従って実行される一連の演出画像の終わりが表示された場合、モータ駆動回路４９による停止制御動作（各リールの可変表示動作の停止制御動作）が可能な状態である（即ち、停止ボタンの操作が受付可能である）と認識するようにしてもよい。以下、モータ駆動回路４９による停止制御動作（各リールの可変表示動作の停止制御動作）が可能な状態（停止ボタンの受付が可能な状態）を、停止可能状態という。
【００７９】
なお、サブＣＰＵ８４は、以下のようにして、停止可能状態を認識してもよい。メインＣＰＵ４１は、現時点が、スタートコマンドを副制御回路８２に送信してから、決定したロック時間が経過しているか否かを判断する。ロック時間が経過していると判断した場合、メインＣＰＵ４１は、ロック時間の経過を示すロック時間経過コマンドを副制御回路８２に送信する。上記ロック時間経過コマンドは、副制御回路８２のサブＣＰＵ８４に送られる。サブＣＰＵ８４は、ロック時間経過コマンドに基づいて、停止可能状態であると認識してもよい。
【００８０】
また、メインＣＰＵ４１は、ロック時間を決定した後、決定したロック時間を示すロック時間コマンドを、スタートコマンドとは別に、副制御回路８２に送信してもよい。上記ロック時間コマンドは、サブＣＰＵ８４に送られる。サブＣＰＵ８４は、ロック時間コマンドを取得した場合、ロック時間を取得してから、ロック時間が経過したか否かを判断する。ロック時間が経過したと判断した場合、サブＣＰＵ８４は、停止可能状態であると認識するようにしてもよい。
【００８１】
また、メインＣＰＵ４１は、ロック時間を決定した後、現時点が、スタートコマンドを副制御回路８２に送信してから、決定したロック時間が経過しているか否かを判断する。ロック時間が経過していると判断した場合、一遊技監視用コマンドをセットした後、モータ駆動回路４９に対して、各リール３Ｌ、３Ｃ、３Ｒの回転を行わせるように、指示する。そして、メインＣＰＵ４１は、リール位置検出回路６０から送られてくる各リール位置を示す信号に基づいて、各リールの回転動作が開始したと認識した場合、リール回転コマンドを副制御回路８２に送信する。上記リール回転コマンドは、副制御回路８２のサブＣＰＵ８４に送られる。サブＣＰＵ８４は、リール回転コマンドに基づいて、停止可能状態であることを認識してもよい。
【００８２】
本実施の形態では、一例として、サブＣＰＵ８４が、液晶表示部２ｂに、第１演出画像パターンに従って実行される一連の演出画像の終わりが表示された場合、停止可能状態であると認識する場合の説明を行う。
【００８３】
なお、メインＣＰＵ４１は、リール位置検出回路６０から送られてくる各リール位置を示す信号に基づいて、各リールの回転速度が一定速度に達したと認識した場合、リール回転コマンドを副制御回路８２に送信するようにしてもよい。
【００８４】
そして、メインＣＰＵ４１は、リール停止信号回路５６から、全てのリールに対応する停止ボタンの押圧操作が終了したことを示す信号を取得した場合、以下の処理を行う。メインＣＰＵ４１は、リール停止信号回路５６に対して、リール停止信号を受け付けない旨を示す情報を送信する。
【００８５】
また、サブＣＰＵ８４は、例えば、以下のようにして、全リールの回転動作が停止したことを認識してもよい。メインＣＰＵ４１は、リール位置検出回路６０から送られてくる各リール位置を示す信号に基づいて、全リールの回転動作が停止したと認識した場合、入賞役を検索し、入賞コマンドを副制御回路８２に送る。上記入賞コマンドは、後述するサブＣＰＵ８４に送られる。サブＣＰＵ８４は、上記入賞コマンドの取得に基づいて、全リールの回転動作が停止したことを認識できるようにしてもよい。
【００８６】
図９は、本実施の形態の副制御回路８２を示すブロック図である。副制御回路８２は、主制御回路８１からの制御指令（コマンド）に基づいて液晶表示部２ｂの表示制御及びスピーカ１２Ｌ，１２Ｒからの音の出力制御を行う。この副制御回路８２は、主制御回路８１を構成する回路基板とは別の回路基板上に構成され、マイクロコンピュータ（以下「サブマイクロコンピュータ」という）８３と、液晶表示部２ｂの表示制御手段としての画像制御回路９１と、スピーカ１２Ｌ，１２Ｒにより出力される音を制御する音源ＩＣ８８と、増幅器としてのパワーアンプ８９とを有する。
【００８７】
サブマイクロコンピュータ８３は、主制御回路８１から送信された制御指令に従って制御動作を行うサブＣＰＵ８４と、記憶手段としてのプログラムＲＯＭ８５と、ワークＲＡＭ８６とを有する。なお、副制御回路８２には、クロックパルス発生回路、分周器、乱数発生器及びサンプリング回路が設けられていないが、サブＣＰＵ８４は、予め設定されたプログラムに従って、乱数サンプリング処理を実行することができる。
【００８８】
プログラムＲＯＭ８５は、サブＣＰＵ８４により実行される制御プログラムを格納する。ワークＲＡＭ８６は、上記制御プログラムをサブＣＰＵ８４で実行するときの一時的な記憶手段である。
【００８９】
画像制御回路９１は、画像制御ＣＰＵ９２と、画像制御ワークＲＡＭ９３と、画像制御プログラムＲＯＭ９４と、画像ＲＯＭ９６と、ビデオＲＡＭ９７と、画像制御ＩＣ９８とを有する。
【００９０】
画像制御ＣＰＵ９２は、サブマイクロコンピュータ８３で設定されたパラメータに基づき、画像制御プログラムＲＯＭ９４内に格納する画像制御プログラムに従って液晶表示部２ｂでの表示内容を決定する。画像制御ワークＲＡＭ９３は、上記画像制御プログラムを画像制御ＣＰＵ９２が実行するときの一時的な記憶手段である。画像制御ＩＣ９８は、画像制御ＣＰＵ９２で決定された演出画像パターンに応じた画像を生成し、液晶表示部２ｂに出力する。画像ＲＯＭ９６は、各種の画像（例えば、動画像、静止画像、これらの組み合わせなど）を形成するためのドットデータを格納する。ビデオＲＡＭ９７は、画像制御ＩＣ９８で画像を形成するときの一時的な記憶手段である。
【００９１】
画像制御プログラムＲＯＭ９４は、液晶表示部２ｂでの表示に関する画像制御プログラムや演出テーブルを格納する。この演出テーブルにおいては、各内部当選役（例えば、ＢＢ、ＲＢ、再遊技、小役，はずれ）と、乱数値の範囲と、ロック時間と、１遊技中に行われる演出画像パターンである１遊技演出画像パターンとが対応づけられている。また、演出テーブルにおいては、各１遊技演出画像パターンには、第１演出画像パターン及び第２演出画像パターンが対応づけられている。この演出テーブルの一例を図１０に示す。
【００９２】
各１遊技演出画像パターンに従って実行される一連の演出画像の表示態様は、例えば、初めは、液晶表示部２ｂの画面表示内における仮想空間において、遊技者が画面に対して正面にいるときの目視方向に沿って、画面側に第１物画像が配置され、背面側に第２物画像が配置されている。その後、上記仮想空間において、第２物画像が第１物画像に１又は複数回衝突し、この際に、第１物画像の表示態様が変化しないか又は第１物画像の表示態様が変化する。また、液晶表示部２ｂの表示において、第２物画像は、上記衝突が行われるまでの間、時間経過に従って、大きくなるようになっている。但し、第２物画像は、上記衝突が行われるまでの間、時間経過に従って、大きさが変わらないようにしてもよい。
【００９３】
例えば、１遊技演出画像パターン１−１、１−２、１−３、１−４に従って実行される一連の演出画像は、第２物画像が第１物画像に１又は複数回衝突した際に、第１物画像が粉砕するような表示態様である。この第２物画像には、例えば、力士の手、プロレスラーの頭、などがある。また、この第１物画像には、ガラス、板、プラスティックなどがある。１遊技演出画像パターン１−１，１−２、１−３、１−４は、内部当選役１（例えば、ＢＢ入賞）に対応づけられている。なお、１遊技演出画像１−１に従って実行される一連の演出画像と、１遊技演出画像１−２に従って実行される一連の演出画像と、１遊技演出画像１−３に従って実行される一連の演出画像と、１遊技演出画像１−４に従って実行される一連の演出画像と、は基本的な表示態様は同じであるが、例えば、粉砕の程度などが違う。
【００９４】
また、例えば、１遊技演出画像パターン２−１、２−２、２−３、２−４に従って実行される一連の演出画像は、第２物画像が第１物画像に１又は複数回衝突した際に、第１物画像がひび割れの状態になった後、第１物画像が粉砕するような表示態様である。１遊技演出画像パターン２−１，２−２、２−３、２−４は、内部当選役２（例えば、ＲＢ入賞）に対応づけられている。なお、１遊技演出画像２−１に従って実行される一連の演出画像と、１遊技演出画像２−２に従って実行される一連の演出画像と、１遊技演出画像２−３に従って実行される一連の演出画像と、１遊技演出画像２−４に従って実行される一連の演出画像と、は基本的な表示態様は同じであるが、例えば、ひび割れの程度などが違う。
【００９５】
また、例えば、１遊技演出画像パターン３−１、３−２、３−３、３−４に従って実行される一連の演出画像は、第２物画像が第１物画像に１又は複数回衝突した際に、第１物画像がひび割れの状態になった後、第１物画像がひび割れの状態になったままのような表示態様である。１遊技演出画像パターン３−１，３−２、３−３、３−４は、内部当選役３（例えば、小役入賞）に対応づけられている。なお、１遊技演出画像３−１に従って実行される一連の演出画像と、１遊技演出画像３−２に従って実行される一連の演出画像と、１遊技演出画像３−３に従って実行される一連の演出画像と、１遊技演出画像３−４に従って実行される一連の演出画像と、は基本的な表示態様は同じであるが、例えば、ひび割れの程度などが違う。
【００９６】
また、例えば、１遊技演出画像パターン４−１、４−２、４−３、４−４に従って実行される一連の演出画像は、第２物画像が第１物画像に１又は複数回衝突した際に、第１物画像が変化しない状態の後、第１物画像が粉砕するような表示態様である。１遊技演出画像パターン４−１、４−２、４−３、４−４は、内部当選役４（例えば、再遊技入賞）に対応づけられている。なお、１遊技演出画像４−１に従って実行される一連の演出画像と、１遊技演出画像４−２に従って実行される一連の演出画像と、１遊技演出画像４−３に従って実行される一連の演出画像と、１遊技演出画像４−４に従って実行される一連の演出画像と、は基本的な表示態様は同じであるが、例えば、粉砕の程度などが違う。
【００９７】
また、例えば、１遊技演出画像パターン５−１、５−２、５−３、５−４に従って実行される一連の演出画像は、第２物画像が第１物画像に１又は複数回衝突しても、第１物画像が変化しない状態であるような表示態様である。１遊技演出画像パターン５−１、５−２、５−３、５−４は、内部当選役（例えば、はずれ）に対応づけられている。なお、１遊技演出画像５−１に従って実行される一連の演出画像と、１遊技演出画像５−２に従って実行される一連の演出画像と、１遊技演出画像５−３に従って実行される一連の演出画像と、１遊技演出画像５−４に従って実行される一連の演出画像と、は基本的な表示態様は同じであるが、例えば、衝突の程度などが違う。
【００９８】
ここで、第１演出画像パターンは、スタートコマンドが、メインＣＰＵ４１から、サブＣＰＵ８４を介して、画像制御ＣＰＵ９２に送信された場合、画像制御ＣＰＵ９２が取得する演出画像パターンである。また、第２演出画像パターンは、入賞コマンドが、メインＣＰＵ４１から、サブＣＰＵ８４を介して、画像制御ＣＰＵ９２に送信された場合、画像制御ＣＰＵ９２が取得する演出画像パターンである。
【００９９】
例えば、１遊技演出画像パターン１−１（又は、１遊技演出画像パターン１−２，１−３，１−４）に対応づけられている第１演出画像パターン１−１（又は、第１演出画像パターン１−２，１−３，１−４）に従って実行される一連の演出画像は、第２物画像が第１物画像に１又は複数回衝突した際に、第１物画像が粉砕するような表示態様である。１遊技演出画像パターン１−１（又は、１遊技演出画像パターン１−２，１−３，１−４）に対応づけられている第２演出画像パターン１−１（又は、第２演出画像パターン１−２，１−３，１−４）に従って実行される一連の演出画像は、第１物画像が粉砕したままの状態を示すような表示態様である。
【０１００】
例えば、１遊技演出画像パターン２−１（又は、１遊技演出画像パターン２−２，２−３，２−４）に対応づけられている第１演出画像パターン２−１（又は、第１演出画像パターン２−２，２−３，２−４）に従って実行される一連の演出画像は、第２物画像が第１物画像に１又は複数回衝突した際に、第１物画像がひび割れの状態になるような表示態様である。１遊技演出画像パターン２−１（又は、１遊技演出画像パターン２−２，２−３，２−４）に対応づけられている第２演出画像パターン２−１（又は、第２演出画像パターン２−２，２−３，２−４）に従って実行される一連の演出画像は、第１物画像がひび割れの状態から粉砕するような表示態様である。
【０１０１】
例えば、１遊技演出画像パターン３−１（又は、１遊技演出画像パターン３−２，３−３，３−４）に対応づけられている第１演出画像パターン３−１（又は、第１演出画像パターン３−２，３−３，３−４）に従って実行される一連の演出画像は、第２物画像が第１物画像に１又は複数回衝突した際に、第１物画像がひび割れの状態になるような表示態様である。１遊技演出画像パターン３−１（又は、１遊技演出画像パターン３−２，３−３，３−４）に対応づけられている第２演出画像パターン３−１（又は、第２演出画像パターン３−２，３−３，３−４）に従って実行される一連の演出画像は、第１物画像がひび割れのままの状態でいるような表示態様である。
【０１０２】
例えば、１遊技演出画像パターン４−１（又は、１遊技演出画像パターン４−２，４−３，４−４）に対応づけられている第１演出画像パターン４−１（又は、第１演出画像パターン４−２，４−３，４−４）に従って実行される一連の演出画像は、第２物画像が第１物画像に１又は複数回衝突した際に、第１物画像が変化しないような表示態様である。１遊技演出画像パターン４−１（又は、１遊技演出画像パターン４−２，４−３，４−４）に対応づけられている第２演出画像パターン４−１（又は、第２演出画像パターン４−２，４−３，４−４）に従って実行される一連の演出画像は、第１物画像が変化しない状態から、粉砕の状態になるような表示態様である。
【０１０３】
例えば、１遊技演出画像パターン５−１（又は、１遊技演出画像パターン５−２，５−３，５−４）に対応づけられている第１演出画像パターン５−１（又は、第１演出画像パターン５−２，５−３，５−４）に従って実行される一連の演出画像は、第２物画像が第１物画像に１又は複数回衝突した際に、第１物画像が変化しないような表示態様である。１遊技演出画像パターン５−１（又は、１遊技演出画像パターン５−２，５−３，５−４）に対応づけられている第２演出画像パターン５−１（又は、第２演出画像パターン５−２，５−３，５−４）に従って実行される一連の演出画像は、第１物画像が変化しないままの状態でいるような表示態様である。
【０１０４】
なお、各１遊技演出画像パターンに従って実行される一連の演出画像において、副制御回路８２がスタートコマンドを受信したときにおける第１物画像の表示態様と、副制御回路８２が入賞コマンドを受信したときにおける第１物画像の表示態様の一例を図１１に示す。この図１１においては、張り手の表示態様（１遊技演出画像パターン１から５）と、頭突きの表示態様（１遊技演出画像パターン６から１０）があるが、本実施の形態では、張り手の表示態様の１遊技演出画像パターンが用いられる場合の説明を行う。なお、張り手の表示態様の１遊技演出画像パターンの代わりに、頭突きの表示態様の１遊技演出画像パターンが用いられてもよい。また、例えば、現在の遊技状態によって、頭突き及び張り手のうち、いずれか一方の表示態様の１遊技演出画像パターンが用いられるようにしてもよい。
【０１０５】
ここで、同じ１遊技演出画像パターン（例えば、１遊技演出画像パターン１−１）に対応する、第１演出画像パターン（例えば、第１演出画像パターン１−１）に従って実行される一連の演出画像と、第２演出画像パターン（例えば、第２演出画像パターン１−１）に従って実行される一連の演出画像とは、上記１遊技演出画像パターン（例えば、１遊技演出画像パターン１−１）に従って実行される一連の演出画像を構成している。そして、上記第１演出画像パターン（例えば、第１演出画像パターン１−１）に従って実行される一連の演出画像の終わりと、第２演出画像パターン（例えば、第２演出画像パターン１−１）に従って実行される一連の演出画像の始まりは、連続している。
【０１０６】
サブＣＰＵ８４と画像制御ＣＰＵ９２と画像制御ＩＣ９８は、メインＣＰＵ４１（遊技制御手段）により送信された遊技制御命令（制御コマンド）に基づいて、上記第１物画像が細分化するような表示を行うように、液晶表示部２ｂ（画像表示手段）を制御する制御手段である。例えば、サブＣＰＵ８４と画像制御ＣＰＵ９２と画像制御ＩＣ９８は、メインＣＰＵ４１（遊技制御手段）により送信された遊技制御命令（制御コマンド）に基づいて、第２物画像が、第１物画像に１又は複数回衝突することにより、第１物画像が、細分化するような表示（例えば、第１物画像の粉砕の表示）を行うように、液晶表示部２ｂ（画像表示手段）を制御する制御手段である。具体的な説明は、以下のとおりである。
【０１０７】
サブＣＰＵ８４と画像制御ＣＰＵ９２と画像制御ＩＣ９８は、メインＣＰＵ４１（遊技制御手段）により送信された遊技制御命令（制御コマンド）に基づいて、第２物画像が、第１物画像に１又は複数回衝突することにより、第１物画像の表示態様が、衝突前に対して変化するような表示（例えば、第１物画像の粉砕の表示、第１物画像のひび割れなど）を行うように、液晶表示部２ｂ（画像表示手段）を制御する。
【０１０８】
メインＣＰＵ４１は、スタートレバーの操作を示す信号に基づいて、各種の処理（例えば、内部当選決定処理など）を行った後、スタートコマンドをサブＣＰＵ８４に送る。スタートコマンドには、内部当選役を示す情報と、ロック時間を示す情報が含まれる。サブＣＰＵ８４は、スタートコマンドを画像制御ＣＰＵ９２に送る。ここで、画像制御ＣＰＵ９２は、上述した乱数発生器４６の機能とサンプリング回路４７の機能とを有する。
【０１０９】
画像制御ＣＰＵ９２は、スタートコマンドを取得した場合、一定の数値範囲に属する乱数を発生し、発生した乱数のなかから、一の乱数をサンプリングする。そして、画像制御ＣＰＵ９２は、演出テーブルを参照して、スタートコマンドに含まれる内部当選役と、サンプリングした乱数が含まれる乱数範囲と、スタートコマンドに含まれるロック時間とに対応する１遊技演出画像パターンを決定する。そして、画像制御ＣＰＵ９２は、決定した１遊技演出画像パターンを保持する。画像制御ＣＰＵ９２は、演出テーブルを参照して、上記１遊技演出画像パターンに対応する第１演出画像パターンを取得する。
【０１１０】
画像制御ＩＣ９８は、画像制御ＣＰＵ９２で取得された第１演出画像パターン（例えば、第１演出画像パターン１ー１）に基づいて、その演出画像パターンに従った演出画像を生成するためのドットデータを画像ＲＯＭ９６から取得する。画像制御ＩＣ９８は、取得したドットデータに基づいて、画像制御ＣＰＵ９２で取得された第１演出画像パターン（例えば、第１演出画像パターン１ー１）に従った演出画像を生成する。画像制御ＩＣ９８は、生成した演出画像を液晶表示部２ｂに表示させるように制御する。
【０１１１】
そして、メインＣＰＵ４１は、入賞コマンドをサブＣＰＵ８４に送る。サブＣＰＵ８４は、入賞コマンドを画像制御ＣＰＵ９２に送る。なお、サブＣＰＵ８４は、入賞コマンドに基づいて、全リールの回転動作が停止したことを示す情報を画像制御ＣＰＵ９２に送っても良い。画像制御ＣＰＵ９２は、上記情報に基づいて、以下のような処理を行っても良い。
【０１１２】
画像制御ＣＰＵ９２は、入賞コマンドを取得した場合、演出テーブルを参照して、保持していた１遊技演出画像パターンに対応する第２演出画像パターンを取得する。画像制御ＩＣ９８は、画像制御ＣＰＵ９２で取得された第２演出画像パターン（例えば、第２演出画像パターン１ー１）に基づいて、その演出画像パターンに従った演出画像を生成するためのドットデータを画像ＲＯＭ９６から取得する。画像制御ＩＣ９８は、取得したドットデータに基づいて、画像制御ＣＰＵ９２で取得された第２演出画像パターン（例えば、第２演出画像パターン１ー１）に従った演出画像を生成する。画像制御ＩＣ９８は、生成した演出画像を液晶表示部２ｂに表示させるように制御する。
【０１１３】
これにより、液晶表示部２ｂは、一定の場合（内部当選役が決定された場合）、第２物画像が第１物画像に１又は複数回衝突することにより、第１物画像の表示態様が衝突前に対して変化するような表示（例えば、第１物画像の粉砕の表示、第１物画像のひび割れ状態の表示）を行うことになる。
【０１１４】
この結果、サブＣＰＵ８４と画像制御ＣＰＵ９２と画像制御ＩＣ９８は、メインＣＰＵ４１（遊技制御手段）により送信された遊技制御命令（制御コマンド）に基づいて、第２物画像が、第１物画像に１又は複数回衝突することにより、第１物画像が、細分化するような表示（例えば、第１物画像の粉砕の表示）を行うように、液晶表示部２ｂ（画像表示手段）を制御するといえる。
【０１１５】
また、サブＣＰＵ８４と画像制御ＣＰＵ９２と画像制御ＩＣ９８は、可変表示動作が停止した後に液晶表示部２ｂを制御する場合、メインＣＰＵ４１（内部当選決定手段）による決定結果に基づいて、可変表示動作が停止してからの演出画像の表示態様を異ならせるように、液晶表示部２ｂを制御する。
【０１１６】
即ち、画像制御ＣＰＵ９２は、スタートコマンドに含まれる内部当選役に基づいて、１遊技演出画像パターンを決定する。ここで、内部当選役が例えば、ＲＢ入賞役，の場合には、画像制御ＩＣ９８は、可変表示動作が停止した後に液晶表示部２ｂを制御する場合、衝突後の第１物画像が細分化（第２物画像の粉砕）するような表示を行うように、液晶表示部２ｂを制御する。また、内部当選役が例えば、小役，の場合には、画像制御ＩＣ９８は、可変表示動作が停止した後に液晶表示部２ｂを制御する場合、衝突後の第１物画像がひび割れ状態の表示を行うように、液晶表示部２ｂを制御する。また、内部当選役が例えば、はずれの場合には、画像制御ＩＣ９８は、可変表示動作が停止した後に液晶表示部２ｂを制御する場合、衝突後の第１物画像が変化なしの表示を行うように、液晶表示部２ｂを制御する。この結果、サブＣＰＵ８４と画像制御ＣＰＵ９２と画像制御ＩＣ９８は、可変表示動作が停止した後に液晶表示部２ｂを制御する場合、上述したような制御を行うといえる。
【０１１７】
また、サブＣＰＵ８４と画像制御ＣＰＵ９２と画像制御ＩＣ９８は、停止可能状態になるまでの間に液晶表示部２ｂを制御する場合、メインＣＰＵ４１（内部当選決定手段）による決定結果に基づいて、停止可能状態になるまでの演出画像の表示態様を異ならせるように、液晶表示部２ｂを制御する。
【０１１８】
即ち、画像制御ＣＰＵ９２は、スタートコマンドに含まれる内部当選役に基づいて、１遊技演出画像パターンを決定する。ここで、内部当選役が例えば、ＢＢ入賞役の場合には、画像制御ＩＣ９８は、停止可能状態になるまでの間に液晶表示部２ｂを制御する場合、衝突後の第１物画像が細分化するような表示（例えば、第１物画像の粉砕）を行うように、液晶表示部２ｂを制御する。内部当選役が例えば、ＲＢ入賞役、小役の場合には、画像制御ＩＣ９８は、停止可能状態になるまでの間に液晶表示部２ｂを制御する場合、衝突後の第１物画像がひび割れ状態となるような表示を行うように、液晶表示部２ｂを制御する。内部当選役が例えば、はずれの場合には、画像制御ＩＣ９８は、停止可能状態になるまでの間に液晶表示部２ｂを制御する場合、衝突後の第１物画像が変化無しの表示を行うように、液晶表示部２ｂを制御する。
【０１１９】
このため、サブＣＰＵ８４と画像制御ＣＰＵ９２と画像制御ＩＣ９８は、停止可能状態になるまでの間に液晶表示部２ｂを制御する場合、上述したような制御を行うといえる。
【０１２０】
サブＣＰＵ８４と画像制御ＣＰＵ９２と画像制御ＩＣ９８は、停止可能状態（遊技者による所定の操作に基づく、前記停止制御手段による停止制御動作が可能な状態）になってから、可変表示動作が停止するまでの間、遊技者の視点が、所定の領域（図柄表示領域２１Ｌ、２１Ｃ、２１Ｒ）に透過表示された図柄に定まるように、液晶表示部２ｂを制御する。具体的な一例は、以下のとおりである。
【０１２１】
サブＣＰＵ８４と画像制御ＣＰＵ９２と画像制御ＩＣ９８は、停止制御が可能な状態である停止可能状態になる前には、液晶表示部２ｂの所定の領域を含む領域上に、演出画像を表示するように液晶表示部２ｂを制御し、停止可能状態から、可変表示動作が停止するまでの間、液晶表示部２ｂに表示される演出画像の動きを一時的に停止するように、液晶表示部２ｂを制御する。
【０１２２】
例えば、サブＣＰＵ８４と画像制御ＣＰＵ９２と画像制御ＩＣ９８は、停止可能状態前は、第２物画像及び第１物画像の動きを表示するように、液晶表示部２ｂを制御するとともに、停止可能状態になってから、可変表示動作が停止するまでの間、第２物画像及び第１物画像の動きを一時的に停止するように、液晶表示部２ｂを制御する。具体的な説明は、以下のとおりである。なお、サブＣＰＵ８４と画像制御ＣＰＵ９２と画像制御ＩＣ９８は、停止可能状態になってから、可変表示動作が停止するまでの間、第２物画像及び第１物画像のうち、いずれか１つの画像の動きを一時的に停止するように、液晶表示部２ｂを制御してもよい。
【０１２３】
画像制御ＩＣ９８は、サブＣＰＵ８４から、停止可能状態であることを示す情報を取得する前、画像制御ＣＰＵ９２により選択された第１演出画像パターンに基づいて、その第１演出画像パターンに従った演出画像を生成するためドットデータを画像ＲＯＭ９６から取得する。そして、画像制御ＩＣ９８は、取得したドットデータに基づいて、上記演出画像パターンに従った演出画像を生成し、液晶表示部２ｂに表示させる。
そして、サブＣＰＵ８４は、液晶表示部２ｂに、第１演出画像パターンに従って実行される一連の演出画像の終わりが表示された場合、停止可能状態であると認識することができる。サブＣＰＵ８４は、停止可能状態であることを示す情報を、画像制御ＣＰＵ９２を介して、画像制御ＩＣ９８に送る。画像制御ＩＣ９８は、停止可能状態であることを示す情報を取得した際に液晶表示部２ｂに表示させた演出画像を、そのまま表示させる。
【０１２４】
また、メインＣＰＵ４１は、入賞コマンドをサブＣＰＵ８４に送信する。サブＣＰＵ８４は、入賞コマンドを画像制御ＣＰＵ９２に送る。画像制御ＣＰＵ９２は、入賞コマンドを取得した場合、演出テーブルを参照して、保持していた１遊技演出画像パターンに対応する第２演出画像パターンを取得する。画像制御ＩＣ９８は、画像制御ＣＰＵ９２で取得された第２演出画像パターンに基づいて、その演出画像パターンに従った演出画像を生成するためのドットデータを画像ＲＯＭ９６から取得する。画像制御ＩＣ９８は、取得したドットデータに基づいて、画像制御ＣＰＵ９２で取得された第２演出画像パターンに従った演出画像を生成する。画像制御ＩＣ９８は、生成した演出画像を液晶表示部２ｂに表示させるように制御する。
【０１２５】
なお、画像制御ＩＣ９８は、画像制御ＣＰＵ９２で選択された第２演出画像パターンに従った演出画像を液晶表示部２ｂに表示させるまでは、第１演出画像パターンに従って実行される演出画像の終わりの画像を液晶表示部２ｂに表示させるようにしてもよい。
【０１２６】
また、サブＣＰＵ８４と画像制御ＣＰＵ９２と画像制御ＩＣ９８は、以下のような制御処理を行っても良い。画像制御ＩＣ９８は、液晶表示部２ｂにおける画像表示可能な領域を示す情報（以下、表示可能領域情報という）を保持している。また、画像制御ＩＣ９８は、正面側からみて各リール３Ｌ、３Ｃ、３Ｒと対向する液晶表示部２ｂの所定の領域（即ち、図柄表示領域２１Ｌ、２１Ｃ、２１Ｒのことである）を示す情報（以下、所定領域情報という）を保持している。領域を示す情報とは、例えば、領域内の位置情報（Ｘ−Ｙ座標表示）のことである。
【０１２７】
そして、サブＣＰＵ８４と画像制御ＣＰＵ９２と画像制御ＩＣ９８は、演出画像（例えば、第２物画像及び第１物画像）の動きを一時的に停止するように液晶表示部２ｂを制御した後、一時的に停止したときにおける、所定の領域（図柄表示領域）上に表示される演出画像（例えば、第２物画像及び第１物画像）を、消去するように液晶表示部２ｂを制御するようにしてもよい。なお、サブＣＰＵ８４と画像制御ＣＰＵ９２と画像制御ＩＣ９８は、第２物画像及び第１物画像のうち、いずれかの動きを一時的に停止するように液晶表示部２ｂを制御した後、一時的に停止したときにおける、所定の領域（図柄表示領域）上に表示される第２物画像及び第１物画像のうちいずれかを、消去するように液晶表示部２ｂを制御するようにしてもよい。
【０１２８】
この処理の具体的な説明の一例は、以下のとおりである。サブＣＰＵ８４は、停止可能状態であることを示す情報を、画像制御ＣＰＵ９２を介して、画像制御ＩＣ９８に送る。画像制御ＩＣ９８は、停止可能状態であることを示す情報を取得した際に液晶表示部２ｂに表示させた演出画像を、そのまま表示させる。この際、画像制御ＩＣ９８は、保持している表示可能領域情報及び所定領域情報に基づいて、液晶表示部２ｂに表示させた演出画像のうち、上記所定の領域の画像は消去し、上記所定の領域以外の領域の画像だけそのまま表示するように、液晶表示部２ｂを制御する。なお、液晶表示部２ｂは、細分化（粉砕化）された第１物画像の全てを表示せず、一部だけを表示するようにしてもよい。
【０１２９】
以下、主制御回路８１から、副制御回路８２に送信する制御コマンドについて説明する。図１２，１３は、上記コマンドの一例を示すものである。制御コマンドの送信は主制御回路８１から副制御回路８２への方向に対してのみ行われる。主制御回路８１と副制御回路８２とは、１６本のデータ信号線と１本の信号線とを介して、接続されている。これらの制御コマンドは２バイト、４バイトまたは６バイト構成になっている。１６本のデータ信号線で上記コマンドが送信されるために、１，２または３シーケンスで、送信される。
【０１３０】
例えば、スタートコマンドの場合は、遊技内部当選役の種別、遊技状態、ロック時間を含むコマンドが、主制御回路８１から副制御回路８２に送信される。また、図１２，図１３に示した制御コマンドは、一例であり、副制御回路８２で行う制御に必要なコマンドが主制御回路８１から副制御回路８２に送信される。
【０１３１】
なお、本実施の形態の遊技機１は、回胴式遊技機１（パチスロ遊技機１など）に限定されるものでなく、パチンコ遊技機１などの他の遊技機１であってもよい。遊技機１における動作は、パーソナルコンピュータなどの汎用コンピュータにおいて、専用プログラムを実行することにより、実現できる。また、遊技機１を擬似的に実現可能にするプログラムは、家庭用ゲーム機で用いることができる。さらに、プログラムは記録媒体に記録されることができる。この記録媒体は、例えば、ハードディスク、フレキシブルディスク、コンパクトディスク、ＩＣチップ、カセットテープなどがある。
【０１３２】
（動作）
次に、上述した遊技機１を用いた遊技動作を以下に説明する。図１４から図１９は、主制御回路８１のメインＣＰＵ４１の制御動作を説明するためのフローチャート図である。
【０１３３】
初めに、電源が投入される（ステップ２、以下、ステップをＳＴという）。メインＣＰＵ４１は、メインＣＰＵ４１の全出力ポートを初期化する（ＳＴ４）。続いて、メインＣＰＵ４１は、遊技機１のパワーダウンエラーであるか否かを判断する（ＳＴ６）。ここで、遊技機１のパワーダウンエラーの場合は、ＳＴ４の処理が行われ、遊技機１のパワーダウンエラーでない場合は、ＳＴ８の処理が行われる。
【０１３４】
ＳＴ８の処理では、メインＣＰＵ４１の初期化が行われる。続いて、メインＣＰＵ４１は、ＲＡＭエラーであるか否かを判断する（ＳＴ１０）。ここで、ＲＡＭエラーであると判断された場合には、メインＣＰＵ４１は、ＲＡＭエラーの表示を、払出表示部１８に表示させる。その後、ＳＴ１０の処理が行われる。
【０１３５】
具体的には、メインＣＰＵ４１は、７セグメントＬＥＤにより構成される払出表示部１８に「ｒｒ」という表示を行わせる。ここで、ＲＡＭエラーとは、ＲＡＭ４３が正常に読み書き処理を行えない状態をいう。
【０１３６】
そして、ＲＡＭエラーでないと判断された場合には、メインＣＰＵ４１は、設定用鍵型スイッチ（キースイッチ）６３が「オン」であるか否かを判断する（ＳＴ１２）。設定用鍵型スイッチが「オン」であると判断された場合は、メインＣＰＵ４１は、６段階の設定処理を行う（ＳＴ１４）。その後、ＳＴ１２の処理が行われる。また、設定用鍵型スイッチが「オフ」であると判断された場合、ＳＴ１６の処理が行われる。
【０１３７】
メインＣＰＵ４１は、バッテリーバックアップが正常であるか否かを判断する（ＳＴ１６）。バッテリーバックアップが正常であると判断された場合、メインＣＰＵ４１は、ＲＡＭ４３の未使用領域に書き込まれている情報を消去した後、メインＣＰＵ４１の全レジスタを電源遮断時における出力状態に復帰させる（ＳＴ１８）。そして、メインＣＰＵ４１は、メインＣＰＵ４１の入力ポートを電源復帰時の状態に更新し、上記全レジスタを電源遮断時の状態に復帰する（ＳＴ２０）。
【０１３８】
バッテリーバックアップが正常でないと判断された場合、メインＣＰＵ４１は、各設定値の初期値をセットする（ＳＴ２２）。続いて、メインＣＰＵ４１は、ＲＡＭ４３の全領域に書き込まれている情報を消去する（ＳＴ２４）。ここで、ＳＴ２４以降の処理は、ＳＴ１２の処理において設定用鍵型スイッチが「オン」であると判断され、６段階の設定処理が行われた場合にも、行われる。
【０１３９】
続いて、メインＣＰＵ４１は、各設定値を格納し（ＳＴ２６）、通信データの初期化を行う（ＳＴ２８）。そして、メインＣＰＵ４１は、遊技終了時のＲＡＭ４３の記憶内容を消去する（ＳＴ３０）。
【０１４０】
続いて、メインＣＰＵ４１は、メダルの自動投入の要求があるか否か、即ち、前回の遊技でリプレイに入賞したか否かを判断する（ＳＴ３２）。この際、自動投入の要求には、自動投入が要求されているメダル数が対応づけられている。メダルの自動投入の要求があると判断した場合、メインＣＰＵ４１は、上記自動投入の要求に対応するメダル数分のメダルを、自動投入する（ＳＴ３４）。
【０１４１】
また、メインＣＰＵ４１は、副制御回路８２にメダル投入コマンドを送信する（ＳＴ３６）。その後、ＳＴ４０の処理が行われる。
【０１４２】
メダルの自動投入の要求がないと判断した場合には、メインＣＰＵ４１は、メダル投入口６にメダルが投入されたか、又は、ベットボタンによる押圧操作が行われたかを判断する（ＳＴ３８）。メダルの投入、上記押圧操作のいずれも行われない場合には、ＳＴ３２の処理が行われる。メダルの投入、又は、上記押圧操作が行われた場合には、ＳＴ４０の処理が行われる。
【０１４３】
ＳＴ４０の処理では、メインＣＰＵ４１は、スタートレバー１０の操作に基づくスタートスイッチ６Ｓからの入力があるか否かを判断する。スタートスイッチ６Ｓからの入力がないと判断された場合、ＳＴ３２の処理が行われる。
【０１４４】
スタートスイッチ６Ｓからの入力があると判断された場合、ＳＴ４６の処理が行われる。また、メインＣＰＵ４１は、ＲＯＭ４２に格納されている確率抽選テーブルを参照して、抽選用の一の乱数を抽出する（ＳＴ４２）。この乱数抽出処理の具体的な説明は上述したとおりである。
【０１４５】
そして、メインＣＰＵ４１は、現在の遊技状態を判断するための監視処理を行う（ＳＴ４４）。そして、メインＣＰＵ４１は、確率抽選処理を行う（ＳＴ４６）。この処理では、メインＣＰＵ４１は、ＳＴ４２の処理で抽出された一の乱数値と、ＳＴ４４の処理で判断された現在の遊技状態に対応する確率抽選テーブルとに基づいて、内部当選役を決定する。確率抽選テーブルにおいては、上述したように、各入賞役毎に、内部当選となる乱数値が予め定められている。
【０１４６】
次に、メインＣＰＵ４１は、ＷＩＮランプ点灯抽選処理を行う（ＳＴ４８）。そして、メインＣＰＵ４１は、停止制御テーブルの選択処理を行う（ＳＴ５０）。このＳＴ５０の処理の具体的な説明は、以下のとおりである。
【０１４７】
メインＣＰＵ４１は、内部当選役がベルであるか否かの判断を行う。この内部当選役がベルであると判断した場合、メインＣＰＵ４１は、一の乱数値を抽出し、停止制御テーブル選択テーブルに基づいて、停止制御テーブルを１つ選択する。なお、停止制御テーブル選択テーブルにおいては、各乱数値と、停止制御テーブルを特定する情報とが対応づけられている。この内部当選役がベルでないと判断した場合、メインＣＰＵ４１は、内部当選役ごとに予め定められている停止制御テーブルを選択する。
【０１４８】
メインＣＰＵ４１は、ロック時間選択用テーブルを参照して、ロック時間の選択処理を行う（ＳＴ５１）。この処理の具体的な説明は、上述したとおりである。そして、メインＣＰＵ４１は、内部当選役を示す情報と、ロック時間とが含まれるスタートコマンドを副制御回路８２に送信する（ＳＴ５２）。
【０１４９】
そして、メインＣＰＵ４１は、現時点が、前の遊技から４．１秒経過しているか否かを判断する（ＳＴ５４）。具体的には、メインＣＰＵ４１は、ＳＴ６２の処理でセットされた１遊技監視用タイマの値に基づいて、ＳＴ５４の処理を行う。メインＣＰＵ４１が、現時点が前の遊技から４．１秒経過したと判断した場合、ＳＴ５９の処理が行われる。メインＣＰＵ４１が、現時点が前の遊技から４．１秒経過していないと判断した場合、ＳＴ５６の処理が行われる。
【０１５０】
ＳＴ５６の処理では、メインＣＰＵ４１は、ウェイトコマンドを副制御回路８２に送信する。メインＣＰＵ４１は、リール回転コマンドを送信するまでの間、ウェイトコマンドを、例えば、定期的に、送信し続ける。そして、メインＣＰＵ４１は、遊技開始待ち時間消化処理を行う（ＳＴ５８）。
【０１５１】
メインＣＰＵ４１は、現時点が、スタートコマンドを副制御回路８２に送信してから、選択したロック時間が経過しているか否かを判断する（ＳＴ５９）。ロック時間が経過していないと判断した場合、メインＣＰＵ４１は、ロック時間が経過するまで待機する（ＳＴ６０）。ロック時間が経過していると判断した場合、メインＣＰＵ４１は、ＳＴ６１の処理を行う。この際、メインＣＰＵ４１は、遊技者による停止ボタンの操作を示す信号を受け付け可能な状態に設定する。
【０１５２】
メインＣＰＵ４１は、１遊技監視用タイマをセットする（ＳＴ６２）。１遊技監視用タイマには、遊技者の停止ボタンの停止操作によらず、自動的にリールを停止させるための自動停止タイマが含まれる。
【０１５３】
メインＣＰＵ４１は、モータ駆動回路４９に対して、各リールの回転を行わせるように、指示する。モータ駆動回路４９の制御により、各リールは、回転動作を開始する（ＳＴ６３）。メインＣＰＵ４１は、リール位置検出回路６０から送られてくる各リール位置を示す信号に基づいて、各リールの回転動作が開始したと認識した場合、リール回転コマンドを副制御回路８２に送信する（ＳＴ６４）。  なお、メインＣＰＵ４１は、モータ駆動回路４９に、各リールの回転を行わせるように、指示する前に、リール回転開始に関する初期化処理を行う。具体的には、ＣＰＵ４１は、リールの回転情報（回転ピッチなど）を記憶するＲＡＭ４３の領域を初期化する。また、ＳＴ６４の処理においては、メインＣＰＵ４１は、リール位置検出回路６０から送られてくる各リール位置を示す信号に基づいて、各リールの回転速度が一定速度になったと認識した場合、リール回転コマンドを副制御回路８２に送信するようにしてもよい。
【０１５４】
メインＣＰＵ４１は、停止ボタンがオンであるか否かを判断する（ＳＴ６６）。具体的には、メインＣＰＵ４１は、いずれかの停止ボタンが操作されたか否かを判断する。いずれかの停止ボタンが操作されたと判断された場合、ＳＴ７０の処理が行われる。停止ボタンが操作されないと判断された場合、ＳＴ６８の処理が行われる。
【０１５５】
ＳＴ６８の処理では、メインＣＰＵ４１は、自動停止タイマの設定値が「０」であるか否かを判断する。そして、自動停止タイマの値が「０」であると判断された場合、ＳＴ７０の処理が行われる。自動停止タイマの値が「０」でないと判断された場合、ＳＴ６６の処理が行われる。
【０１５６】
ＳＴ７０の処理では、メインＣＰＵ４１は、例えば、決定された内部当選役と、停止操作時におけるリールの回転位置と、選択されている停止制御テーブルとに基づいて、滑りコマ数を決定する。
【０１５７】
そして、メインＣＰＵ４１は、モータ駆動回路４９に対して、ＳＴ８２の処理で決定された滑りコマ数に基づいて、リールの停止制御を行うように指示する（ＳＴ７２）。次に、メインＣＰＵ４１は、リール停止コマンドを副制御回路８２に送信する（ＳＴ７４）。このリール停止コマンドには、停止制御がなされたリールに関する情報、停止制御に関する停止操作が第１停止操作であるか、第２停止操作であるか、第３停止操作であるかを示す情報などが含まれる。
【０１５８】
そして、メインＣＰＵ４１は、全てのリールが停止したか否かを判断する（ＳＴ７６）。全てのリールが停止した場合は、ＳＴ７８の処理が行われる。全てのリールが停止していないときは、ＳＴ６６の処理が行われる。
【０１５９】
ＳＴ７０の処理では、メインＣＰＵ４１は、例えば、決定された内部当選役と、停止操作時におけるリールの回転位置と、選択されている停止制御テーブルとに基づいて、滑りコマ数を決定する。
【０１６０】
そして、メインＣＰＵ４１は、モータ駆動回路４９に対して、ＳＴ８２の処理で決定された滑りコマ数に基づいて、リールの停止制御を行うように指示する（ＳＴ７２）。次に、メインＣＰＵ４１は、リール停止コマンドを副制御回路８２に送信する（ＳＴ７４）。このリール停止コマンドには、停止制御がなされたリールに関する情報、停止制御に関する停止操作が第１停止操作であるか、第２停止操作であるか、第３停止操作であるかを示す情報などが含まれる。
【０１６１】
そして、メインＣＰＵ４１は、全てのリールが停止したか否かを判断する（ＳＴ７６）。全てのリールが停止した場合は、ＳＴ７８の処理が行われる。全てのリールが停止していないときは、ＳＴ６６の処理が行われる。
【０１６２】
そして、遊技終了時の演出処理が行われた後、メインＣＰＵ４１は、入賞検索処理を行う（ＳＴ７８）。そして、メインＣＰＵ４１は、入賞コマンドを副制御回路８２に送信する（ＳＴ８０）。上記入賞コマンドは、サブＣＰＵ８４に送られる。サブＣＰＵ８４は、上記入賞コマンドを取得すると、全リールの回転動作が停止したことを認識する。
【０１６３】
そして、メインＣＰＵ４１は、入賞フラグが正常であるか否かを判断する（ＳＴ８２）。入賞フラグが正常である場合には、ＳＴ８６の処理が行われ、入賞フラグが正常でない場合には、イリーガルエラーの表示が行われ（ＳＴ８４）、処理が中断する。
【０１６４】
ＳＴ４２では、メインＣＰＵ４１は、入賞枚数０であるか否かを判断する。具体的には、メインＣＰＵ４１は、いずれかの役（再遊技を除く）の入賞が成立したか否かを判断する。入賞が成立したときは、状態（ＢＢ作動中或いはＲＢ作動中であるか否か）と入賞役と、に対応するメダルの貯留又は払い出しが行われる（ＳＴ８８）。
【０１６５】
そして、メインＣＰＵ４１は、現在の遊技状態がＢＢ作動中であるか、又は、ＲＢ作動中であるか否かを判断する（ＳＴ９０）。ＢＢ作動中又はＲＢ作動中である場合には、ＳＴ９２の処理が行われる。一方、ＢＢ作動中、ＲＢ作動中のいずれでもない場合、ＳＴ９８の処理が行われる。
【０１６６】
ＳＴ９２の処理では、メインＣＰＵ４１は、ＢＢ又はＲＢ遊技数チェック処理を行う。この処理では、ＲＢ遊技状態が発生した回数、ＢＢ中一般遊技状態の遊技回数、ＲＢ遊技状態における入賞回数、ＲＢ遊技状態における遊技回数がチェックされる。
【０１６７】
メインＣＰＵ４１は、ＢＢの終了条件を満たしているか否かを判断する（ＳＴ９４）。ＢＢの終了条件を満たしている場合には、メインＣＰＵ４１は、ＢＢ遊技状態終了時におけるＲＡＭの記憶内容を消去（クリア処理）する（ＳＴ９６）。そして、メインＣＰＵ４１は、ＢＢ遊技状態が終了したことを示すＢＢ終了コマンドを副制御回路８２に送信する。そして、ＳＴ９４の処理で、ＢＢの終了条件を満たしていない場合や、ＳＴ９６の処理が終了した場合には、ＳＴ１００の処理が行われる。
【０１６８】
ＳＴ９８の処理では、メインＣＰＵ４１は、ＢＢ又はＲＢに対応する入賞が成立しているか否かを判断する。そして、メインＣＰＵ４１は、現在の遊技状態を認識する（ＳＴ１００）。具体的には、メインＣＰＵ４１は、一般遊技状態であるか、ＢＢ中一般遊技状態であるか、ＲＢ遊技状態であるかを認識する。そして、ＳＴ３０の処理が行われる。
【０１６９】
上述したＳＴ２からＳＴ９０の間に、副制御回路８２では、以下のような処理が行われる。ＳＴ５２の処理の後、副制御回路８２では、以下の処理が行われる。図２０は、ＳＴ５２の処理の後に、副制御回路８２で行われる処理を説明するためのフローチャート図である。
【０１７０】
ＳＴ５２の処理でメインＣＰＵ４１からスタートコマンドがサブＣＰＵ８４に送られる。サブＣＰＵ８４は、上記スタートコマンドを画像制御ＣＰＵ９２に送る。画像制御ＣＰＵ９２は、スタートコマンドの解読処理を行う（ＳＴ１４０）。なお、サブＣＰＵ８４がスタートコマンドの解読処理を行い、解読結果を画像制御ＣＰＵ９２に送るようにしてもよい。画像制御ＣＰＵ９２は、解読結果に基づいて、以下の処理を行っても良い。
【０１７１】
画像制御ＣＰＵ９２は、上記スタートコマンドの解読結果に基づいて、画像制御プログラムＲＯＭ９４から、演出テーブルを読み出す。また、画像制御ＣＰＵ９２は、一定の数値範囲に属する乱数を発生し、発生した乱数のなかから、一の乱数をサンプリングする。そして、画像制御ＣＰＵ９２は、演出テーブルを参照して、スタートコマンドに含まれている内部当選役と、サンプリングした乱数が含まれる乱数範囲と、スタートコマンドに含まれるロック時間とに対応する１遊技演出画像パターンを決定する（ＳＴ１５０）。
【０１７２】
そして、画像制御ＣＰＵ９２は、決定した１遊技演出画像パターンを保持する。画像制御ＣＰＵ９２は、演出テーブルを参照して、上記１遊技演出画像パターンに対応する第１演出画像パターンを取得する（ＳＴ１５２）。
【０１７３】
画像制御ＩＣ９８は、画像制御ＣＰＵ９２で選択された第１演出画像パターン（例えば、第１演出画像パターン１−１）に基づいて、その第１演出画像パターンに従った演出画像を生成するためのドットデータを画像ＲＯＭ９６から取得する。画像制御ＩＣ９８は、取得したドットデータに基づいて、画像制御ＣＰＵ９２で取得された第１演出画像パターンに従った演出画像を生成する（ＳＴ１５４）。
【０１７４】
そして、画像制御ＩＣ９８は、生成した演出画像を液晶表示部２ｂに表示させる（ＳＴ１５６）。ここで、ＳＴ１５４の処理、ＳＴ１５６の処理は、第１演出画像パターンに従って実行される一連の演出画像の終わりが液晶表示部２ｂに表示される（又はサブＣＰＵ８４が、停止可能状態を認識する）まで繰り返される。
【０１７５】
例えば、１遊技演出画像パターン１−１が選択された場合、１遊技演出画像パターン１−１に対応する第１演出画像パターン１−１に従って実行される一連の演出画像の表示においては、初め、第２物画像（力士の張り手）及び第１物画像（力士の張り手より画面側にある仮想ガラス）が静止している状態の表示から、図２１に示すような状態の表示が行われた後、図２２に示すような表示が行われ、図２３に示すような状態の表示が行われる。
【０１７６】
また、例えば、１遊技演出画像パターン２−１，３−１が選択された場合、１遊技演出画像パターン２−１，３−１に対応する第１演出画像パターンに従って実行される一連の演出画像の表示においては、初め、第２物画像及び第１物画像が静止している状態の表示から、図２１に示すような状態の表示が行われた後、図２２に示すような表示が行われ、図２４に示すような状態の表示が行われる。
【０１７７】
また、例えば、１遊技演出画像パターン４−１，５−１が選択された場合、１遊技演出画像パターン４−１，５−１に対応する第１演出画像パターンに従って実行される一連の演出画像の表示においては、初め、第２物画像及び第１物画像が静止している状態の表示から、図２１に示すような状態の表示が行われた後、図２２に示すような状態の表示が行われる。
【０１７８】
次に、ＳＴ５２の処理の後、副制御回路８２では、以下の処理が行われる。図２５は、ＳＴ５２の処理の後に、副制御回路８２で行われる処理を説明するためのフローチャート図である。
【０１７９】
ＳＴ１６０で、サブＣＰＵ８４は、液晶表示部２ｂに、第１演出画像パターンに従って実行される一連の演出画像の終わりが表示された場合、停止可能状態であると認識する。サブＣＰＵ８４は、停止可能状態であることを示す情報を画像制御ＩＣ９８に送る。
【０１８０】
画像制御ＩＣ９８は、停止可能状態であることを示す情報を取得した際に液晶表示部２ｂに表示させた演出画像をそのまま表示させる（ＳＴ１６２）。
【０１８１】
ここで、ＳＴ１６２の処理は、サブＣＰＵ８４が入賞コマンドを取得するまで行われる。なお、ＳＴ１６２の処理の際、画像制御ＩＣ９８は、停止可能状態であることを示す情報を取得した際に液晶表示部２ｂに表示させた演出画像をそのまま表示させる場合、所定の領域（図柄表示領域）の画像は消去し、所定の領域以外の領域の画像だけそのまま表示させるように、液晶表示部２ｂを制御してもよい。例えば、この制御の結果、液晶表示部２ｂは、図２６のような表示を行う。
【０１８２】
次に、ＳＴ８０の処理の後、副制御回路８２では、以下の処理が行われる。
【０１８３】
図２７は、ＳＴ８０の処理の後に、副制御回路８２で行われる処理を説明するためのフローチャート図である。
【０１８４】
ＳＴ８０の処理でメインＣＰＵ４１から入賞コマンドがサブＣＰＵ８４に送られる。サブＣＰＵ８４は、入賞コマンドの解読処理を行う（ＳＴ１７０）。サブＣＰＵ８４は、入賞コマンドの解読結果に基づいて、全リールの回転動作が停止したことを示す情報を画像制御ＣＰＵ９２に送る。なお、サブＣＰＵ８４は、入賞コマンドを画像制御ＣＰＵ９２に送ってもよい。そして、画像制御ＣＰＵ９２が入賞コマンドの解読処理を行い、全リールの回転動作が停止したことを認識してもよい。
【０１８５】
画像制御ＣＰＵ９２は、上記情報に基づいて、画像制御プログラムＲＯＭ９４から、演出テーブルを読み出す。そして、画像制御ＣＰＵ９２は、演出テーブルを参照して、保持している１遊技演出画像パターンに対応する第２演出画像パターン（例えば、第２演出画像パターン１−１）を取得する（ＳＴ１７２）。
【０１８６】
次いで、画像制御ＩＣ９８は、画像制御ＣＰＵ９２で取得された第２演出画像パターン（例えば、第２演出画像パターン１−１）に基づいて、その第２演出画像パターンに従った演出画像を生成するためのドットデータを画像ＲＯＭ９６から取得する。画像制御ＩＣ９８は、取得したドットデータに基づいて、画像制御ＣＰＵ９２で選択された第２演出画像パターンに従った演出画像を生成する（ＳＴ１７４）。
【０１８７】
そして、画像制御ＩＣ９８は、生成した演出画像を液晶表示部２ｂに表示させる（ＳＴ１７６）。ここで、ＳＴ１７４の処理、ＳＴ１７６の処理は、第２演出画像パターンに従った演出画像の終わりが、液晶表示部２ｂに表示されるまで繰り返される。
【０１８８】
例えば、１遊技演出画像パターン１−１が選択された場合、１遊技演出画像パターン１−１に対応する第２演出画像パターンに従って実行される一連の演出画像の表示においては、初めから、終わりまで、図２３に示すような状態の表示が行われる。
【０１８９】
また、例えば、１遊技演出画像パターン２−１が選択された場合、１遊技演出画像パターン２−１に対応する第２演出画像パターン２−１に従って実行される一連の演出画像の表示においては、初め、図２４に示すような状態の表示が行われ、その後、図２３に示すような状態の表示が行われる。
【０１９０】
また、例えば、１遊技演出画像パターン３−１が選択された場合、１遊技演出画像パターン３−１に対応する第２演出画像パターン３−１に従って実行される一連の演出画像の表示においては、初めから終わりまで、図２４に示すような状態の表示が行われる。
【０１９１】
また、例えば、１遊技演出画像パターン４−１が選択された場合、１遊技演出画像パターン４−１に対応する第２演出画像パターン４−１に従って実行される一連の演出画像の表示においては、初め、図２２に示すような状態の表示が行われ、その後、図２３に示すような状態の表示が行われる。
【０１９２】
また、例えば、１遊技演出画像パターン５−１が選択された場合、１遊技演出画像パターン５−１に対応する第２演出画像パターン５−１に従って実行される一連の演出画像の表示においては、初めから終わりまで、図２２に示すような状態の表示が行われる。
【０１９３】
また、入賞コマンドの代わりに、リール停止コマンドが用いられても良い。この場合、画像制御ＩＣ９８は、取得したリール停止コマンドに、第３停止操作を示す情報が含まれている場合には、全リールが停止したと判断するようにしてもよい。そして、画像制御ＩＣ９８は、全リールが停止したと判断した場合、ＳＴ１７２からＳＴ１７６の処理が行われるようにしてもよい。
【０１９４】
上述した実施の形態においては、第２物画像が第１物画像に１又は複数回衝突した場合、第１物画像とともに、表示窓の枠の画像の表示形態が変化するようにしてもよい。
【０１９５】
例えば、上述した１遊技演出画像パターン１−１、１−２，１−３，１−４に従って実行される一連の演出画像は、第２物画像が第１物画像に１又は複数回衝突した際に、第１物画像及び表示窓の枠の画像が粉砕するような表示態様でもよい。
【０１９６】
また、例えば、１遊技演出画像パターン２−１、２−２，２−３，２−４に従って実行される一連の演出画像は、第２物画像が第１物画像に１又は複数回衝突した際に、第１物画像及び表示窓の枠の画像がひび割れの状態になった後、第１物画像及び表示窓の枠の画像が粉砕するような表示態様でもよい。
【０１９７】
また、例えば、１遊技演出画像パターン３−１，３−２，３−３，３−４に従って実行される一連の演出画像は、第２物画像が第１物画像に１又は複数回衝突した際に、第１物画像及び表示窓の枠の画像がひび割れの状態になった後、第１物画像及び表示窓の枠の画像がひび割れの状態になったままのような表示態様でもよい。
【０１９８】
また、例えば、１遊技演出画像パターン４−１、４−２，４−３，４−４に従って実行される一連の演出画像は、第２物画像が第１物画像に１又は複数回衝突した際に、第１物画像及び表示窓の枠の画像が変化しない状態の後、第１物画像及び表示窓の枠の画像が粉砕するような表示態様でもよい。
【０１９９】
また、例えば、１遊技演出画像パターン５−１，５−２，５−３，５−４に従って実行される一連の演出画像は、第２物画像が第１物画像に１又は複数回衝突しても、第１物画像及び表示窓の枠の画像が変化しない状態であるような表示態様でもよい。
【０２００】
なお、本実施の形態では、サブＣＰＵ８４と画像制御ＣＰＵ９２と画像制御ＩＣ９８とが別々の構成である場合についての説明を行ったが、これに限定されない。例えば、副制御回路８２に、サブＣＰＵ８４と画像制御ＣＰＵ９２と画像制御ＩＣ９８とが設けられる代わりに、サブＣＰＵ８４の機能と画像制御ＣＰＵ９２の機能と画像制御ＩＣ９８の機能と有する１つの制御部が設けられても良い。
【０２０１】
また、本実施の形態では、画像制御ＣＰＵ９２が各種の演出画像パターン（１遊技演出画像パターン、第１演出画像パターン、第２演出画像パターン）を取得する場合の説明が行われたが、これに限定されない。例えば、サブＣＰＵ８４が各種の演出画像パターン（１遊技演出画像パターン、第１演出画像パターン、第２演出画像パターン）を取得してもよい。
【０２０２】
なお、液晶表示部２ｂには、第１物画像だけが表示されるようにしてもよい。そして、サブＣＰＵ８４と画像制御ＣＰＵ９２と画像制御ＩＣ９８は、メインＣＰＵ４１（遊技制御手段）により送信された遊技制御命令（制御コマンド）に基づいて、例えば、第１物画像が爆発することにより、粉砕するような表示を行うように、液晶表示部２ｂを制御するようにしてもよい。制御の具体的な方法は、例えば、上述した実施の形態と同じ方法で実現される。
【０２０３】
なお、上述した実施の形態では、演出画像として、第１物画像及び第２物画像を含む演出画像の説明を行ったが、これに限定されるわけでなく、第１物画像及び第２物画像を含む演出画像以外の演出画像の場合にも、本発明は、同様に適用できる。
【０２０４】
（作用効果）
本実施の形態の遊技機は、複数の図柄を可変表示する各リール３Ｌ、３Ｃ、３Ｒ（可変表示手段）と、各リール３Ｌ、３Ｃ、３Ｒの可変表示動作の停止制御を行うモータ駆動回路４９（停止制御手段）とを有する。また、上記遊技機は、正面側からみて各リール３Ｌ、３Ｃ、３Ｒの手前側に配設され、演出画像を表示するとともに、所定の領域（図柄表示領域２１Ｌ、２１Ｃ、２１Ｒ）上に、各リール３Ｌ、３Ｃ、３Ｒに表示された図柄を透過表示する液晶表示部２ｂ（画像表示手段）と、停止制御が可能な状態である停止可能状態になる前には、液晶表示部２ｂの上記所定の領域を含む領域上に、演出画像を表示するように、液晶表示部２ｂを制御し、上記停止可能状態から、可変表示動作が停止するまでの間、液晶表示部２ｂに表示される演出画像の動きを一時的に停止するように、液晶表示部２ｂを制御するサブＣＰＵ８４、画像制御ＣＰＵ９２、画像制御ＩＣ９８（制御手段）を有する。
【０２０５】
このため、遊技者は、各リールに表示された図柄と、液晶表示部２ｂに表示された演出画像とを同時に確認できる。また、停止可能状態になってから、可変表示動作が停止するまで、演出画像の動きを一時的に停止するように、液晶表示部２ｂが制御される。このため、上記所定の領域に透過表示された図柄のみを、各リールの動きを見て入賞をねらおうとする遊技者に注視させる効果がある。この結果、遊技者は、演出画像を楽しみながら、遊技にも集中することができ、遊技者の遊技意欲が高まる。
【０２０６】
また、本実施の形態においては、サブＣＰＵ８４、画像制御ＣＰＵ９２、画像制御ＩＣ９８は、演出画像の動きを一時的に停止するように液晶表示部２ｂを制御する場合、所定の領域上の演出画像を、消去するように液晶表示部２ｂを制御することもできる。
【０２０７】
このため、各リール（可変表示手段）の動きを見て入賞をねらおうとする遊技者の視点が、上記所定の領域に透過表示された図柄に一層定まるようにされるので、遊技に一層集中することができ、遊技者の遊技意欲が一層高まる。
【０２０８】
また、本実施の形態の遊技機は、内部当選役を決定する内部当選決定手段（メインＣＰＵ４１）を有する。また、サブＣＰＵ８４、画像制御ＣＰＵ９２、画像制御ＩＣ９８は、可変表示動作が停止した後に液晶表示部２ｂを制御する場合、メインＣＰＵ４１による内部当選の決定結果に基づいて、可変表示動作が停止してからの演出画像の表示態様を異ならせるように、液晶表示部２ｂを制御することもできる。
【０２０９】
このため、例えば、内部当選役がＢＢのとき、可変表示動作が停止した後に液晶表示部２ｂに表示される演出画像が第１の所定の表示態様であり、内部当選役がＲＢ、再遊技、小役のとき、可変表示動作が停止した後に液晶表示部２ｂに表示される演出画像が第２の所定の表示態様であり、内部当選役がはずれのとき、可変表示動作が停止した後に液晶表示部２ｂに表示される演出画像が第３の所定の表示態様である場合、以下の効果が得られる。
【０２１０】
遊技者は、可変表示動作が停止した後における液晶表意部２ｂの表示を見て、例えば、液晶表示部２ｂに表示される演出画像が第１の所定の表示態様である場合、現在の遊技状態から特定遊技状態（例えば、ＢＢ中一般遊技状態）にかなり高い可能性で移行されるかもしれないという高い期待感をもつことができる。
【０２１１】
また、本実施の形態では、サブＣＰＵ８４、画像制御ＣＰＵ９２、画像制御ＩＣ９８は、停止可能状態になるまでの間に液晶表示部２ｂを制御する場合、メインＣＰＵ４１による内部当選の決定結果に基づいて、停止可能状態になるまでにおける演出画像の表示態様を異ならせるように、液晶表示部２ｂを制御することもできる。
【０２１２】
このため、例えば、内部当選役がＢＢの場合、停止可能状態になるまでの間に、液晶表示部２ｂに表示される演出画像が第１の所定の表示態様であり、内部当選役がＲＢ、再遊技、小役のとき、停止可能状態になるまでの間に、液晶表示部２ｂに表示される演出画像が第２の所定の表示態様であり、内部当選役がはずれのとき、停止可能状態になるまでの間に、液晶表示部２ｂに表示される演出画像が第１の所定の表示態様である場合、以下の効果が得られる。
【０２１３】
遊技者は、停止可能状態になるまでの間に、液晶表示部２ｂに表示される演出画像を見て、例えば、液晶表示部２ｂに表示される演出画像が第１の所定の表示態様である場合、特定のタイミングで各図柄を停止させれば、入賞となる可能性が高いだろうという期待感をもって遊技を行える。
【０２１４】
（変更例１）
また、上述した実施の形態は、以下のように変更されてもよい。メインＣＰＵ４１は、ＳＴ４０の処理の後、スタートスイッチオンを示す制御コマンドを副制御回路８２に送信するようにしてもよい。そして、画像制御ＣＰＵ９２は、スタートスイッチオンを示す制御コマンドが送られてきた場合、予め決められた所定の１遊技演出画像パターンを取得するようにしてもよい。そして、画像制御ＣＰＵ９２は、上記所定の１遊技演出画像パターンを保持する。画像制御ＣＰＵ９２は、上記所定の１遊技演出画像パターンに対応する第１演出画像パターンを取得する。この後における画像制御ＩＣ９８による液晶表示部２ｂの制御動作は、実施の形態と同じである。
【０２１５】
また、液晶表示部２ｂに、第１演出画像パターンに従って実行される一連の演出画像の終わりが表示された場合、サブＣＰＵ８４が、停止可能状態であると認識した場合に、画像制御ＩＣ９８により行われる液晶表示部２ｂの制御動作は、実施の形態と同じである。
【０２１６】
また、画像制御ＣＰＵ９２は、入賞コマンド（又は全リールの回転動作の停止を示す情報）を取得した場合、保持していた１遊技演出画像パターンに対応する第２演出画像パターンを取得する。この後における画像制御ＩＣ９８による液晶表示部２ｂの制御動作は、実施の形態と同じである。
【０２１７】
（変更例２）
上述した実施の形態は、以下のように変更されてもよい。上述した演出テーブルにおいて、各１遊技演出画像パターンに、第１演出画像パターン及び第２演出画像パターンが対応づけられていなくてもよい。
【０２１８】
そして、画像制御ＣＰＵ９２は、スタートコマンドが送られてきた場合、演出テーブルを参照して、スタートコマンドに含まれる内部当選役と、サンプリングした乱数が含まれる乱数範囲と、スタートコマンドに含まれるロック時間とに対応する１遊技演出画像パターンを決定する。
【０２１９】
画像制御ＩＣ９８は、画像制御ＣＰＵ９２で決定された１遊技演出画像パターンに基づいて、その１遊技演出画像パターンに従った演出画像を生成するためのドットデータを画像ＲＯＭ９６から取得する。画像制御ＩＣ９８は、取得したドットデータに基づいて、画像制御ＣＰＵ９２で決定された演出画像パターンに従った演出画像を生成する。画像制御ＩＣ９８は、生成した演出画像を液晶表示部２ｂに表示させる。
【０２２０】
また、液晶表示部２ｂに、第１演出画像パターンに従って実行される一連の演出画像の終わりが表示された場合、サブＣＰＵ８４が、停止可能状態であると認識する。そして、サブＣＰＵ８４は、停止可能状態であることを示す情報を、画像制御ＣＰＵ９２を介して、画像制御ＩＣ９８に送る。画像制御ＩＣ９８は、停止可能状態であることを示す情報を取得した際に液晶表示部２ｂに表示させた演出画像を、そのまま表示させる。
【０２２１】
また、メインＣＰＵ４１は、入賞コマンドをサブＣＰＵ８４に送信する。サブＣＰＵ８４は、入賞コマンドを画像制御ＣＰＵ９２を介して、画像制御ＩＣ９８に送信する。画像制御ＩＣ９８は、入賞コマンドを取得した場合、上記表示動作（停止可能状態であることを示す情報を取得した際に液晶表示部２ｂに表示させた演出画像を、そのまま表示させる動作）を終了する。そして、画像制御ＩＣ９８は、画像制御ＣＰＵ９２で決定された１遊技演出画像パターンに基づいて、その１遊技演出画像パターンに従った演出画像を生成するためのドットデータを画像ＲＯＭ９６から取得する。画像制御ＩＣ９８は、取得したドットデータに基づいて、画像制御ＣＰＵ９２で決定された演出画像パターンに従った演出画像を生成する。画像制御ＩＣ９８は、生成した演出画像を液晶表示部２ｂに表示させる。
【０２２２】
また、この変更例１においては、演出画像は、第１物画像及び第２物画像を含む演出画像以外の演出画像であっても同様に適用できる。なお、演出画像は、人間、人間の一部（手、足など）、数字、物（いん石、弓矢など）に関する静止画像、動画像、これらを組み合わせた画像であってもよい。  本変更例においても、実施の形態で示した効果（内部当選決定に関する効果を除く）が得られる。
【０２２３】
なお、上述した変更例において、演出テーブルにおいては、各内部当選役と、各ロック時間と、１遊技演出画像パターンとが対応づけられていてもよい。そして、画像制御ＣＰＵ９２は、スタートコマンドが送られてきた場合、演出テーブルを参照して、スタートコマンドに含まれる内部当選役と、スタートコマンドに含まれるロック時間とに対応する１遊技演出画像パターンを決定するようにしてもよい。
【０２２４】
（変更例３）
画像制御ＩＣ９８は、遊技中（コインが投入されて、入賞の成立、不成立が決定されるまでの間）であっても、遊技中でなくとも、例えば、所定の１遊技演出画像パターンに基づいて、その１遊技演出画像パターンに従った演出画像を生成するためのドットデータを画像ＲＯＭ９６から取得するようにしてもよい。
【０２２５】
そして、画像制御ＩＣ９８は、取得したドットデータに基づいて、上記１遊技演出画像パターン（例えば、１遊技演出画像パターン１）に従った演出画像を生成する。画像制御ＩＣ９８は、生成した演出画像を液晶表示部２ｂに表示させるようにしてもよい。そして、サブＣＰＵ８４が、停止可能状態であると認識した場合、入賞コマンドがサブＣＰＵ８４に送信された場合における画像制御ＩＣ９８の動作は、変更例１の場合と同じである。
【０２２６】
また、この変更例３においては、演出画像は、第１物画像及び第２物画像を含む演出画像以外の演出画像であっても同様に適用できる。
【０２２７】
（変更例４）
また、画像制御ＩＣ９８による制御動作は、以下のように変更されてもよい。
【０２２８】
画像制御ＩＣ９８は、液晶表示部２ｂにおける画像表示可能な領域を示す情報（以下、表示可能領域情報という）を保持している。また、画像制御ＩＣ９８は、正面側からみて各リール３Ｌ、３Ｃ、３Ｒと対向する液晶表示部２ｂの領域（即ち、図柄表示領域２１Ｌ、２１Ｃ、２１Ｒのことである）を示す情報（以下、所定領域情報という）を保持している。
【０２２９】
そして、画像制御ＩＣ９８は、停止可能状態前は、第１物画像及び第２物画像を表示するように、液晶表示部２ｂを制御するとともに、停止可能状態から、上記可変表示動作が停止するまでの間、所定の領域（図柄表示領域２１Ｌ、２１Ｃ、２１Ｒ）上に、第１物画像及び／又は第２物画像が表示されないように、液晶表示部２ｂを制御するようにしてもよい。この処理の具体的な説明の一例は、以下のとおりである。
【０２３０】
画像制御プログラムＲＯＭ９４は、遊技演出テーブルを格納する。遊技演出テーブルは、各内部当選役（例えば、ＢＢ、ＲＢ、再遊技、小役、又は、はずれ）と、乱数値の範囲と、ロック時間と、１遊技演出画像パターンとが対応づけられている。また、演出テーブルにおいては、各１遊技演出画像パターンは、第１演出画像パターン、第２演出画像パターン、第３演出画像パターンが対応づけられている。
【０２３１】
各１遊技演出画像パターンの説明は、上述した実施の形態と同じである。第１演出画像パターンは、スタートコマンドが、メインＣＰＵ４１から、サブＣＰＵ８４を介して、画像制御ＣＰＵ９２に送信された場合、画像制御ＣＰＵ９２が取得する演出画像パターンである。また、第２演出画像パターンは、サブＣＰＵ８４が、停止可能状態であると認識した場合、停止可能状態であることを示す情報が送られた画像制御ＣＰＵ９２が取得する演出画像パターンである。但し、第２演出画像パターンに従って実行される一連の演出画像は、液晶表示部２ｂの図柄表示領域２１Ｌ、２１Ｃ、２１Ｒ以外の領域上において、例えば、第１物画像及び／又は第２物画像の動きを示すような表示態様である。また、第３演出画像パターンは、入賞コマンド（又は全リールの回転動作の停止を示す情報）が画像制御ＣＰＵ９２に送信された場合、画像制御ＣＰＵ９２が取得する演出画像パターンである。
【０２３２】
ここで、同じ１遊技演出画像パターン（例えば、１遊技演出画像パターン１−１）に対応する、第１演出画像パターン（例えば、第１演出画像パターン１−１）に従って実行される一連の演出画像と、第２演出画像パターン（例えば、第２演出画像パターン１−１）に従って実行される一連の演出画像と、第３演出画像パターン（例えば、第３演出画像パターン１−１）に従って実行される一連の演出画像と、は上記１遊技演出画像パターン（例えば、１遊技演出画像パターン１−１）に従って実行される一連の演出画像を構成している。そして、上記第１演出画像パターン（例えば、第１演出画像パターン１−１）に従って実行される一連の演出画像の終わりと、第２演出画像パターン（例えば、第２演出画像パターン１−１）に従って実行される一連の演出画像の始まりは、連続している。また、上記第２演出画像パターン（例えば、第２演出画像パターン１−１）に従って実行される一連の演出画像の終わりと、第３演出画像パターン（例えば、第３演出画像パターン１−１）に従って実行される一連の演出画像の始まりは、連続している。
【０２３３】
画像制御ＣＰＵ９２は、上述した乱数発生器４６の機能と、サンプリング回路４７の機能とを有する。そして、画像制御ＣＰＵ９２は、スタートコマンドが送られてきた場合、一定の数値範囲に属する乱数を発生し、発生した乱数のなかから一の乱数をサンプリングする。そして、画像制御ＣＰＵ９２は、演出テーブルを参照して、スタートコマンドに含まれる内部当選役と、サンプリングした一の乱数値が含まれる乱数値範囲と、スタートコマンドに含まれるロック時間とに対応する１遊技演出画像パターンを決定する。そして、画像制御ＣＰＵ９２は、決定した１遊技演出画像パターンを保持する。画像制御ＣＰＵ９２は、演出テーブルを参照して、上記１遊技演出画像パターンに対応する第１演出画像パターンを取得する。
【０２３４】
画像制御ＩＣ９８は、画像制御ＣＰＵ９２で取得された第１演出画像パターン（例えば、第１演出画像パターン１ー１）に基づいて、その演出画像パターンに従った演出画像を生成するためのドットデータを画像ＲＯＭ９６から取得する。画像制御ＩＣ９８は、取得したドットデータに基づいて、画像制御ＣＰＵ９２で取得された第１演出画像パターン（例えば、第１演出画像パターン１ー１）に従った演出画像を生成する。画像制御ＩＣ９８は、生成した演出画像を液晶表示部２ｂに表示させるように制御する。
【０２３５】
そして、液晶表示部２ｂに、第１演出画像パターンに従って実行される一連の演出画像の終わりが表示された場合、サブＣＰＵ８４は、停止可能状態であると認識する。サブＣＰＵ８４は、停止可能状態であることを示す情報を、画像制御ＣＰＵ９２に送る。画像制御ＣＰＵ９２は、停止可能状態を示す情報を取得した場合、演出テーブルを参照して、保持していた１遊技演出画像パターンに対応する第２演出画像パターン（例えば、第２演出画像パターン１−２）を取得する。そして、画像制御ＩＣ９８は、画像制御ＣＰＵ９２により取得された第２演出画像パターン（第２演出画像パターン１−２）に基づいて、その演出画像パターンに従った演出画像を生成するためのドットデータを画像ＲＯＭ９６から取得する。そして、画像制御ＩＣ９８は、取得したドットデータと、保持している表示可能領域情報及び所定領域情報と、に基づいて、上記第２演出画像パターンに従った演出画像を生成し、液晶表示部２ｂに表示させるように制御する。
【０２３６】
この結果、画像制御ＩＣ９８は、液晶表示部２ｂ上の領域のうち、上記所定の領域以外の領域上に、生成した演出画像を表示させるように、液晶表示部２ｂを制御することになる。
【０２３７】
また、画像制御ＣＰＵ９２は、入賞コマンド（又は全リールの回転動作の停止を示す情報）を取得した場合、演出テーブルを参照して、保持していた１遊技演出画像パターンに対応する第３演出画像パターン（例えば、第３演出画像パターン１−３）を取得する。そして、画像制御ＩＣ９８は、画像制御ＣＰＵ９２により決定された演出画像パターンに対応する第３演出画像パターン（第３演出画像パターン１−３）に基づいて、その演出画像パターンに従った演出画像を生成するためのドットデータを画像ＲＯＭ９６から取得する。そして、画像制御ＩＣ９８は、取得したドットデータに基づいて、上記第３演出画像パターンに従った演出画像を生成し、液晶表示部２ｂに表示させるように制御する。
【０２３８】
この結果、画像制御ＩＣ９８は、液晶表示部２ｂ上の領域のうち、上記所定の領域を含む領域上に、生成した演出画像を表示させるように、液晶表示部２ｂを制御することになる。この結果、画像制御ＩＣ９８は、上記入賞コマンドを取得すると、所定の領域以外の領域に演出画像を表示させるという制御動作を終了することになる。
【０２３９】
本変更例によれば、画像制御ＩＣ９８は、停止可能状態前は、第１物画像及び第２物画像を表示するように、液晶表示部２ｂ（画像表示手段）を制御するとともに、停止可能状態から、可変表示動作が停止するまでの間、所定の領域（図柄表示領域２１Ｌ、２１Ｃ、２１Ｒ）上に第１物画像及び／又は第２物画像が表示されないように液晶表示部２ｂ（画像表示手段）を制御する。
【０２４０】
このため、各リールの動きを見て入賞をねらおうとする遊技者の視点が、上記所定の領域に透過表示された図柄に定まるようになるので、遊技者は、演出画像を楽しみながら、遊技にも集中することができ、遊技者の遊技意欲が高まる。
【０２４１】
なお、上述した実施の形態、各変更例は、以下のように変更されてもよい。演出テーブルにおいて、各内部当選役に、乱数範囲が対応づけられていなくてもよい。
【０２４２】
【発明の効果】
以上説明したように、本発明によれば、停止可能状態になってから、可変表示動作が停止するまでの間、演出画像の動きが一時的に停止されるので、上記所定の領域に透過表示された図柄のみを遊技者に注視させる効果がある。
【図面の簡単な説明】
【図１】本実施の形態の遊技機の外観構成を示す図である。
【図２】本実施の形態のパネル表示部及び液晶表示部の表示面を示す図である。
【図３】本実施の形態の液晶表示部を背面から見た図である。
【図４】本実施の形態の遊技機に用いるリール帯を展開した図である。
【図５】本実施の形態における遊技状態毎の配当を示す図である。
【図６】本実施の形態における遊技機の内部構成を示す図である。
【図７】本実施の形態の確率抽選テーブルの内容を示す図である。
【図８】本実施の形態におけるロック時間選択用テーブルの一例を示す図である。
【図９】本実施の形態における副制御回路の内部回路を示す図である。
【図１０】本実施の形態における演出テーブルの一例を示す図である。
【図１１】各１遊技演出画像パターンに従って実行される一連の演出画像において、副制御回路８２がスタートコマンドを受信したときにおける第１物画像の表示態様と、副制御回路８２が入賞コマンドを受信したときにおける第１物画像の表示態様を示す図である。
【図１２】本実施の形態における各種のコマンドの内容を示す図である。
【図１３】本実施の形態における各種のコマンドの内容を示す図である。
【図１４】本実施の形態における遊技機による動作を説明するためのフローチャート図である。
【図１５】本実施の形態における遊技機による動作を説明するためのフローチャート図である。
【図１６】本実施の形態における遊技機による動作を説明するためのフローチャート図である。
【図１７】本実施の形態における遊技機による動作を説明するためのフローチャート図である。
【図１８】本実施の形態における遊技機による動作を説明するためのフローチャート図である。
【図１９】本実施の形態における遊技機による動作を説明するためのフローチャート図である。
【図２０】本実施の形態における副制御回路による動作を説明するためのフローチャート図である。
【図２１】本実施の形態における液晶表示部に表示される演出画像の一例を示す図である。
【図２２】本実施の形態における液晶表示部に表示される演出画像の一例を示す図である。
【図２３】本実施の形態における液晶表示部に表示される演出画像の一例を示す図である。
【図２４】本実施の形態における液晶表示部に表示される演出画像の一例を示す図である。
【図２５】本実施の形態における副制御回路による動作を説明するためのフローチャート図である。
【図２６】本実施の形態における液晶表示部に表示される演出画像の一例を示す図である。
【図２７】本実施の形態における副制御回路による動作を説明するためのフローチャート図である。
【符号の説明】
１  遊技機，２  キャビネット，２ａ  パネル表示部，２ｂ  液晶表示部，３Ｌ，３Ｃ，３Ｒ  リール，４  台座部，５  ＢＥＴスイッチ，６  メダル投入口，６Ｓ  スタートスイッチ，７  Ｃ／Ｐスイッチ，８  メダル払出口  ，９  メダル受け口，１０  スタートレバー，１１Ｌ，１１Ｃ，１１Ｒ  停止ボタン，１２Ｌ，１２Ｒ  スピーカ，１３  配当表パネル，１６  ＷＩＮランプ，１７ａ  １−ＢＥＴランプ，１７ｂ  ２−ＢＥＴランプ，１７ｃ  最大ＢＥＴランプ，１８払出表示部，１９  クレジット表示部，２０  役物作動回数表示部，２１Ｌ，２１Ｃ，２１Ｒ  図柄表示領域，２２Ｌ，２２Ｃ，２２Ｒ  窓枠表示領域，２２Ｓ  投入メダルセンサ，２４  メダル投入ランプ，２５  遊技開始表示ランプ，３６Ａ  反射領域，３６ＢＲ，３６ＢＣ，３６ＢＬ  非反射領域，４０  マイクロコンピュータ，４１  メインＣＰＵ，４２  ＲＯＭ，４３  ＲＡＭ，４４  クロックパルス発生回路，４５  分周器，４６  乱数発生器，４７  サンプリング回路，４８  Ｉ／Ｏポート，４９  モータ駆動回路，５０  ホッパー，５０Ｓ  メダル検出部，５１  ホッパー駆動回路，５５  ランプ駆動回路，５６  リール停止信号回路，５８  表示部駆動回路，６０  リール位置検出回路，６３  設定用鍵型スイッチ，８１  主制御回路，８２  副制御回路，８３  サブマイクロコンピュータ，８４  サブＣＰＵ，８５  プログラムＲＯＭ，８６  ワークＲＡＭ，８８  音源ＩＣ，８９  パワーアンプ，９１  画像制御回路，９２  画像制御ＣＰＵ，９３  画像制御ワークＲＡＭ，９４  画像制御プログラムＲＯＭ，９６画像ＲＯＭ，９７  ビデオＲＡＭ，９８  画像制御ＩＣ，１１１  １−ＢＥＴスイッチ，１１２  ２−ＢＥＴスイッチ，１１３  最大ＢＥＴスイッチ。
【図１】
2004321616.tif 000003
【図２】
2004321616.tif 000004
【図３】
2004321616.tif 000005
【図４】
2004321616.tif 000006
【図５】
2004321616.tif 000007
【図６】
2004321616.tif 000008
【図７】
2004321616.tif 000009
【図８】
2004321616.tif 000010
【図９】
2004321616.tif 000011
【図１０】
2004321616.tif 000012
【図１１】
2004321616.tif 000013
【図１２】
2004321616.tif 000014
【図１３】
2004321616.tif 000015
【図１４】
2004321616.tif 000016
【図１５】
2004321616.tif 000017
【図１６】
2004321616.tif 000018
【図１７】
2004321616.tif 000019
【図１８】
2004321616.tif 000020
【図１９】
2004321616.tif 000021
【図２０】
2004321616.tif 000022
【図２１】
2004321616.tif 000023
【図２２】
2004321616.tif 000024
【図２３】
2004321616.tif 000025
【図２４】
2004321616.tif 000026
【図２５】
2004321616.tif 000027
【図２６】
2004321616.tif 000028
【図２７】
2004321616.tif 000029